(57)【特許請求の範囲】
【請求項１】
コンピュータ実行可能命令を格納する少なくとも１つのメモリと、
前記少なくとも１つのメモリにアクセスする少なくとも１つのプロセッサと、
を有し、前記少なくとも１つのプロセッサは、前記コンピュータ実行可能命令を実行して、
物理レイヤ（ＰＨＹ）プリアンブルを有する高効率（ＨＥ）パケットの無線送信を生じ、前記ＰＨＹプリアンブルは、レガシ短トレーニングフィールド（Ｌ−ＳＴＦ）、前記Ｌ−ＳＴＦの直後のレガシ長トレーニングフィールド（Ｌ−ＬＴＦ）、前記Ｌ−ＬＴＦの直後のレガシ信号フィールド（Ｌ−ＳＩＧ）、前記Ｌ−ＳＩＧの直後の繰り返し信号フィールド（ＲＬ−ＳＩＧ）、前記ＲＬ−ＳＩＧの直後の高効率信号フィールド（ＨＥ−ＳＩＧ）、前記ＨＥ−ＳＩＧの直後の高効率短トレーニングフィールド（ＨＥ−ＳＴＦ）、前記ＨＥ−ＳＴＦの直後の高効率長トレーニングフィールド（ＨＥ−ＬＴＦ）、を有し、
前記Ｌ−ＳＩＧは、レートフィールド及び長さフィールドを有し、
前記ＨＥ−ＳＩＧは、第１の高効率信号シンボル（ＨＥ−ＳＩＧ−１）及び第２の高効率信号シンボル（ＨＥ−ＳＩＧ−２）を有し、
前記ＲＬ−ＳＩＧは、前記Ｌ−ＳＩＧの繰り返しであり、
前記長さフィールドの値が３で割り切れないように前記Ｌ−ＳＩＧの前記長さフィールドの値を設定し、前記繰り返し、及び３で割り切れない前記長さフィールドの前記値は、前記パケットがＨＥパケットであることを示す、
無線装置。
【請求項２】
前記ＨＥ−ＳＩＧ−１及び前記ＨＥ−ＳＩＧ−２は、ＢＰＳＫ（binary  phase  shift  keying）コンステレーション上のマッピングを示す、請求項１に記載の装置。
【請求項３】
前記ＨＥ−ＳＩＧ−１及び前記ＨＥ−ＳＩＧ−２は、前記ＨＥ−ＳＩＧ−１及び前記ＨＥ−ＳＩＧ−２が互いに対して９０度の位相回転を示すように、ＢＰＳＫ（binary  phase  shift  keying）コンステレーション上のマッピングを示す、請求項２に記載の装置。
【請求項４】
前記ＨＥ−ＳＩＧは、ＨＥ−ＳＩＧ−１及びＨＥ−ＳＩＧ−２を有する、請求項１及び２のいずれか一項に記載の装置。
【請求項５】
前記ＨＥ−ＬＴＦは、１、２、又は８個のＨＥ−ＬＴＦを有する、請求項１乃至３のいずれか一項に記載の装置。
【請求項６】
前記１又は２個のＨＥ−ＬＴＦのうちの各々のＨＥ−ＬＴＦは、４μｓの期間を有する、請求項５に記載の装置。
【請求項７】
前記ＨＥ−ＳＩＧ−１及び前記ＨＥ−ＳＩＧ−２をＢＰＳＫ（binary  phase  shift  keying）コンステレーションにマッピングするハードウェア、を更に有する請求項２及び３のいずれか一項に記載の装置。
【請求項８】
無線周波数信号を用いてパケットを送信し又は受信する通信機、を更に有し、前記通信機は、低雑音増幅器及びアナログ−デジタル変換器を有する、請求項１乃至３のいずれか一項に記載の装置。
【請求項９】
１又は複数のオペレーティングシステムを格納するメモリ、を更に有する請求項８に記載の装置。
【請求項１０】
前記通信機に結合される１又は複数のアンテナ、を更に有し、前記アンテナはＭＩＭＯアンテナを有する、請求項９に記載の装置。
【請求項１１】
コンピュータプログラムであって、プロセッサに工程を実行させ、前記工程は、
物理レイヤ（ＰＨＹ）プリアンブルを有する高効率（ＨＥ）パケットの無線送信を生じるステップであって、前記ＰＨＹプリアンブルは、レガシ短トレーニングフィールド（Ｌ−ＳＴＦ）、前記Ｌ−ＳＴＦの直後のレガシ長トレーニングフィールド（Ｌ−ＬＴＦ）、前記Ｌ−ＬＴＦの直後のレガシ信号フィールド（Ｌ−ＳＩＧ）、前記Ｌ−ＳＩＧの直後の繰り返し信号フィールド（ＲＬ−ＳＩＧ）、前記ＲＬ−ＳＩＧの直後の高効率信号フィールド（ＨＥ−ＳＩＧ）、前記ＨＥ−ＳＩＧの直後の高効率短トレーニングフィールド（ＨＥ−ＳＴＦ）、前記ＨＥ−ＳＴＦの直後の高効率長トレーニングフィールド（ＨＥ−ＬＴＦ）、を有し、
前記Ｌ−ＳＩＧは、レートフィールド及び長さフィールドを有し、
前記ＨＥ−ＳＩＧは、第１の高効率信号シンボル（ＨＥ−ＳＩＧ−１）及び第２の高効率信号シンボル（ＨＥ−ＳＩＧ−２）を有し、
前記ＲＬ−ＳＩＧは、前記Ｌ−ＳＩＧの繰り返しである、ステップと、
前記長さフィールドの値が３で割り切れないように前記Ｌ−ＳＩＧの前記長さフィールドの値を設定するステップであって、前記繰り返し、及び３で割り切れない前記長さフィールドの前記値は、前記パケットがＨＥパケットであることを示す、ステップと、
を有する、コンピュータプログラム。
【請求項１２】
前記工程は、前記ＨＥ−ＳＩＧ−１及び前記ＨＥ−ＳＩＧ−２をＢＰＳＫ（binary  phase  shift  keying）コンステレーションにマッピングするステップ、を更に有する、請求項１１に記載のコンピュータプログラム。
【請求項１３】
前記工程は、前記ＨＥ−ＳＩＧ−１及び前記ＨＥ−ＳＩＧ−２が互いに対して９０度の位相回転を示すように、前記ＨＥ−ＳＩＧ−１及び前記ＨＥ−ＳＩＧ−２をＢＰＳＫ（binary  phase  shift  keying）コンステレーションにマッピングするステップ、を更に有する、請求項１２に記載のコンピュータプログラム。
【請求項１４】
前記ＨＥ−ＳＩＧは、前記ＨＥ−ＳＩＧ−１及び前記ＨＥ−ＳＩＧ−２を有する、請求項１１及び１２のいずれか一項に記載のコンピュータプログラム。
【請求項１５】
ＨＥ−ＬＴＦは、１、２、又は８個のＨＥ−ＬＴＦを有し、前記１又は２個のＨＥ−ＬＴＦのうちの各々のＨＥ−ＬＴＦは、４μｓの期間を有する、請求項１１乃至１３のいずれか一項に記載のコンピュータプログラム。
【請求項１６】
無線装置を作動させる方法であって、前記方法は、
物理レイヤ（ＰＨＹ）プリアンブルを有する高効率（ＨＥ）パケットの無線送信を生じるステップであって、前記ＰＨＹプリアンブルは、レガシ短トレーニングフィールド（Ｌ−ＳＴＦ）、前記Ｌ−ＳＴＦの直後のレガシ長トレーニングフィールド（Ｌ−ＬＴＦ）、前記Ｌ−ＬＴＦの直後のレガシ信号フィールド（Ｌ−ＳＩＧ）、前記Ｌ−ＳＩＧの直後の繰り返し信号フィールド（ＲＬ−ＳＩＧ）、前記ＲＬ−ＳＩＧの直後の高効率信号フィールド（ＨＥ−ＳＩＧ）、前記ＨＥ−ＳＩＧの直後の高効率短トレーニングフィールド（ＨＥ−ＳＴＦ）、前記ＨＥ−ＳＴＦの直後の高効率長トレーニングフィールド（ＨＥ−ＬＴＦ）、を有し、
前記Ｌ−ＳＩＧは、レートフィールド及び長さフィールドを有し、
前記ＨＥ−ＳＩＧは、第１の高効率信号シンボル（ＨＥ−ＳＩＧ−１）及び第２の高効率信号シンボル（ＨＥ−ＳＩＧ−２）を有し、
前記ＲＬ−ＳＩＧは、前記Ｌ−ＳＩＧの繰り返しである、ステップと、
前記長さフィールドの値が３で割り切れないように前記Ｌ−ＳＩＧの前記長さフィールドの値を設定するステップであって、前記繰り返し、及び３で割り切れない前記長さフィールドの前記値は、前記パケットがＨＥパケットであることを示す、ステップと、
を有する、方法。
【請求項１７】
前記ＨＥ−ＳＩＧ−１及び前記ＨＥ−ＳＩＧ−２をＢＰＳＫ（binary  phase  shift  keying）コンステレーションにマッピングするステップ、を更に有する請求項１６に記載の方法。
【請求項１８】
前記ＨＥ−ＳＩＧ−１及び前記ＨＥ−ＳＩＧ−２が互いに対して９０度の位相回転を示すように、前記ＨＥ−ＳＩＧ−１及び前記ＨＥ−ＳＩＧ−２をＢＰＳＫ（binary  phase  shift  keying）コンステレーションにマッピングするステップ、を更に有する請求項１７に記載の方法。
【請求項１９】
前記ＨＥ−ＳＩＧは、前記ＨＥ−ＳＩＧ−１及び前記ＨＥ−ＳＩＧ−２を有する、請求項１６及び１７のいずれか一項に記載の方法。
【請求項２０】
ＨＥ−ＬＴＦは、１、２、又は８個のＨＥ−ＬＴＦを有し、前記１又は２個のＨＥ−ＬＴＦのうちの各々のＨＥ−ＬＴＦは、４μｓの期間を有する、請求項１６に記載の方法。
【請求項２１】
コンピュータ実行可能命令を格納する少なくとも１つのメモリと、
前記少なくとも１つのメモリにアクセスする少なくとも１つのプロセッサと、
を有し、前記少なくとも１つのプロセッサは、前記コンピュータ実行可能命令を実行して、
物理レイヤ（ＰＨＹ）プリアンブルを有する高効率（ＨＥ）パケットの無線送信を生じ、前記ＰＨＹプリアンブルは、レガシ短トレーニングフィールド（Ｌ−ＳＴＦ）、前記Ｌ−ＳＴＦの直後のレガシ長トレーニングフィールド（Ｌ−ＬＴＦ）、前記Ｌ−ＬＴＦの直後のレガシ信号フィールド（Ｌ−ＳＩＧ）、前記Ｌ−ＳＩＧの直後の繰り返し信号フィールド（ＲＬ−ＳＩＧ）、前記ＲＬ−ＳＩＧの直後の高効率信号フィールド（ＨＥ−ＳＩＧ）、前記ＨＥ−ＳＩＧの直後の高効率短トレーニングフィールド（ＨＥ−ＳＴＦ）、前記ＨＥ−ＳＴＦの直後の高効率長トレーニングフィールド（ＨＥ−ＬＴＦ）、を有し、
前記Ｌ−ＳＩＧは、レートフィールド及び長さフィールドを有し、
前記ＨＥ−ＳＩＧは、第１の高効率信号シンボル（ＨＥ−ＳＩＧ−１）及び第２の高効率信号シンボル（ＨＥ−ＳＩＧ−２）を有し、
前記ＲＬ−ＳＩＧは、前記Ｌ−ＳＩＧの繰り返しであり、
前記長さフィールドの値は３で割り切れず、
前記繰り返しを決定することに基づき、及び前記長さフィールドの前記値が３で割り切れないと決定することに基づき、前記パケットをＨＥパケットとして識別する、
無線装置。
【請求項２２】
前記少なくとも１つのプロセッサは、前記コンピュータ実行可能命令を実行して、前記ＨＥ−ＳＩＧ−１及び前記ＨＥ−ＳＩＧ−２を復調し、前記ＨＥ−ＳＩＧ−１及び前記ＨＥ−ＳＩＧ−２は、ＢＰＳＫ（binary  phase  shift  keying）コンステレーション上のマッピングを示す、請求項２１に記載の装置。
【請求項２３】
前記ＨＥ−ＳＩＧ−１及び前記ＨＥ−ＳＩＧ−２は、互いに対して９０度の位相回転を示す、請求項２２に記載の装置。
【請求項２４】
前記少なくとも１つのプロセッサは、前記コンピュータ実行可能命令を実行して、前記ＨＥ−ＳＩＧ−１及び前記ＨＥ−ＳＩＧ−２を復調し、前記ＨＥ−ＳＩＧは、前記ＨＥ−ＳＩＧ−１及び前記ＨＥ−ＳＩＧ−２を有する、請求項２１乃至２２のいずれか一項に記載の装置。
【請求項２５】
前記少なくとも１つのプロセッサは、前記コンピュータ実行可能命令を実行して、前記ＨＥ−ＬＴＦを復調し、
前記ＨＥ−ＬＴＦは、１、２、又は８個のＨＥ−ＬＴＦを有し、前記１又は２個のＨＥ−ＬＴＦのうちの各々のＨＥ−ＬＴＦは４μｓの期間を有する、
請求項２１乃至２３のいずれか一項に記載の装置。
【請求項２６】
無線周波数信号を用いてパケットを送信し又は受信する通信機であって、前記通信機は、低雑音増幅器及びアナログ−デジタル変換器を有する、通信機と、
１又は複数のオペレーティングシステムを格納するメモリと、
を更に有する請求項２１乃至２３のいずれか一項に記載の装置。
【請求項２７】
前記通信機に結合される１又は複数のアンテナ、を更に有し、前記アンテナはＭＩＭＯアンテナを有する、請求項２６に記載の装置。
【請求項２８】
コンピュータプログラムであって、プロセッサに工程を実行させ、前記工程は、
物理レイヤ（ＰＨＹ）プリアンブルを有する高効率（ＨＥ）パケットを受信するステップであって、前記ＰＨＹプリアンブルは、レガシ短トレーニングフィールド（Ｌ−ＳＴＦ）、前記Ｌ−ＳＴＦの直後のレガシ長トレーニングフィールド（Ｌ−ＬＴＦ）、前記Ｌ−ＬＴＦの直後のレガシ信号フィールド（Ｌ−ＳＩＧ）、前記Ｌ−ＳＩＧの直後の繰り返し信号フィールド（ＲＬ−ＳＩＧ）、前記ＲＬ−ＳＩＧの直後の高効率信号フィールド（ＨＥ−ＳＩＧ）、前記ＨＥ−ＳＩＧの直後の高効率短トレーニングフィールド（ＨＥ−ＳＴＦ）、前記ＨＥ−ＳＴＦの直後の高効率長トレーニングフィールド（ＨＥ−ＬＴＦ）、を有し、
前記Ｌ−ＳＩＧは、レートフィールド及び長さフィールドを有し、
前記ＨＥ−ＳＩＧは、第１の高効率信号シンボル（ＨＥ−ＳＩＧ−１）及び第２の高効率信号シンボル（ＨＥ−ＳＩＧ−２）を有し、
前記ＲＬ−ＳＩＧは、前記Ｌ−ＳＩＧの繰り返しであり、
前記長さフィールドの値は３で割り切れない、ステップと、
前記繰り返しを決定することに基づき、及び前記長さフィールドの前記値が３で割り切れないと決定することに基づき、前記パケットをＨＥパケットとして識別するステップと、
を有する、コンピュータプログラム。
【請求項２９】
前記工程は、前記ＨＥ−ＳＩＧ−１及び前記ＨＥ−ＳＩＧ−２を変調するステップ、を更に有し、前記ＨＥ−ＳＩＧ−１及び前記ＨＥ−ＳＩＧ−２は、ＢＰＳＫ（binary  phase  shift  keying）コンステレーションにマッピングされる、請求項２８に記載のコンピュータプログラム。
【請求項３０】
前記ＨＥ−ＳＩＧ−１及び前記ＨＥ−ＳＩＧ−２は、互いに対して９０度の位相回転を示す、請求項２９に記載のコンピュータプログラム。
【請求項３１】
前記工程は、前記ＨＥ−ＳＩＧ−１及び前記ＨＥ−ＳＩＧ−２を復調するステップ、を更に有し、前記ＨＥ−ＳＩＧは、前記ＨＥ−ＳＩＧ−１及び前記ＨＥ−ＳＩＧ−２を有する、請求項２８及び２９のいずれか一項に記載のコンピュータプログラム。
【請求項３２】
前記工程は、前記ＨＥ−ＬＴＦを復調するステップ、を更に有し、前記ＨＥ−ＬＴＦは、１、２、又は８個のＨＥ−ＬＴＦを有し、前記１又は２個のＨＥ−ＬＴＦのうちの各々のＨＥ−ＬＴＦは、４μｓの期間を有する、請求項２８乃至３０のいずれか一項に記載のコンピュータプログラム。
【請求項３３】
無線装置を作動させる方法であって、前記方法は、
物理レイヤ（ＰＨＹ）プリアンブルを有する高効率（ＨＥ）パケットを受信するステップであって、前記ＰＨＹプリアンブルは、レガシ短トレーニングフィールド（Ｌ−ＳＴＦ）、前記Ｌ−ＳＴＦの直後のレガシ長トレーニングフィールド（Ｌ−ＬＴＦ）、前記Ｌ−ＬＴＦの直後のレガシ信号フィールド（Ｌ−ＳＩＧ）、前記Ｌ−ＳＩＧの直後の繰り返し信号フィールド（ＲＬ−ＳＩＧ）、前記ＲＬ−ＳＩＧの直後の高効率信号フィールド（ＨＥ−ＳＩＧ）、前記ＨＥ−ＳＩＧの直後の高効率短トレーニングフィールド（ＨＥ−ＳＴＦ）、前記ＨＥ−ＳＴＦの直後の高効率長トレーニングフィールド（ＨＥ−ＬＴＦ）、を有し、
前記Ｌ−ＳＩＧは、レートフィールド及び長さフィールドを有し、
前記ＨＥ−ＳＩＧは、第１の高効率信号シンボル（ＨＥ−ＳＩＧ−１）及び第２の高効率信号シンボル（ＨＥ−ＳＩＧ−２）を有し、
前記ＲＬ−ＳＩＧは、前記Ｌ−ＳＩＧの繰り返しであり、
前記長さフィールドの値は３で割り切れない、ステップと、
前記繰り返しを決定することに基づき、及び前記長さフィールドの前記値が３で割り切れないと決定することに基づき、前記パケットをＨＥパケットとして識別するステップと、
を有する方法。
【請求項３４】
前記ＨＥ−ＳＩＧ−１及び前記ＨＥ−ＳＩＧ−２を変調するステップ、を更に有し、前記ＨＥ−ＳＩＧ−１及び前記ＨＥ−ＳＩＧ−２は、ＢＰＳＫ（binary  phase  shift  keying）コンステレーションにマッピングされる、請求項３３に記載の方法。
【請求項３５】
前記ＨＥ−ＳＩＧ−１及び前記ＨＥ−ＳＩＧ−２は、互いに対して９０度の位相回転を示す、請求項３４に記載の方法。
【請求項３６】
前記ＨＥ−ＳＩＧ−１及び前記ＨＥ−ＳＩＧ−２を復調するステップ、を更に有し、前記ＨＥ−ＳＩＧは、前記ＨＥ−ＳＩＧ−１及び前記ＨＥ−ＳＩＧ−２を有する、請求項３３及び３４のいずれか一項に記載の方法。
【請求項３７】
前記ＨＥ−ＬＴＦは、１、２、又は８個のＨＥ−ＬＴＦを有する、請求項３３乃至３５のいずれか一項に記載の方法。
【請求項３８】
前記１又は２個のＨＥ−ＬＴＦのうちの各々のＨＥ−ＬＴＦは、４μｓの期間を有する、請求項３７に記載の方法。
【請求項３９】
請求項１１乃至１５及び２８乃至３２のいずれか一項に記載のコンピュータプログラムを記憶したコンピュータ可読記憶媒体。
【発明の詳細な説明】
【技術分野】
【０００１】
＜関連出願の参照＞
本願は、参照によりその開示が本願明細書に組み込まれる米国仮特許出願番号第６２／０６１,６４５号、２０１４年１０月８日出願の優先権及びその利益を主張する米国特許出願番号第１４／５８１,９６６号、２０１４年１２月２３日出願の利益を主張する。
【０００２】
＜技術分野＞
本開示は、概して、無線通信のためのシステム及び方法に関し、より詳細には、無線通信ネットワークにおける信号分類に関する。
【背景技術】
【０００３】
Ｗｉ−Ｆｉネットワーク性能は、種々のＷｉ−Ｆｉ標準を用いる多数のユーザ装置を有する環境において重要な因子である。増大する性能要求を解決するために新しいＷｉ−Ｆｉシステムが導入されるとき、レガシシステムとの共存及び互換性が必要である。Ｗｉ−Ｆｉ標準に対する各々の新しい改訂に伴い、レガシシステムのうちの１つが又は新しい改訂標準から送信するとき、後続の改訂システムが各々の送信を識別し及びそれを分類できるように、追加シグナリングが必要である。高効率Ｗｉ−Ｆｉ（High  Efficiency  Wi−Fi：ＨＥＷ）標準の設計目標は、Ｗｉ−Ｆｉの効率を向上するために方法を適応すること、及びＨＥＷコンピューティング装置又は他の装置から来るものとして送信間を区別することであり得る。
【図面の簡単な説明】
【０００４】
【図１Ａ】本開示の１又は複数の例示的な実施形態による、説明のための信号分類システムのコンポーネント間の説明的な概略図を示す。
【図１Ｂ】無線通信ネットワークのパケットフォーマットを示す。
【図１Ｃ】無線通信ネットワークのパケットフォーマットを示す。
【図１Ｄ】本開示の１又は複数の例示的な実施形態による、無線通信ネットワークのためのパケットフォーマットを示す。
【図１Ｅ】本開示の１又は複数の例示的な実施形態による、無線通信ネットワークのためのパケットフォーマットを示す。
【図２】本開示の１又は複数の例示的な実施形態による、信号分類のために構成されるコンピューティング装置の例示的なアーキテクチャを示す概略ブロック図を示す。
【図３】本開示の１又は複数の例示的な実施形態による、説明のための信号分類システムを示す。
【図４】本開示の１又は複数の例示的な実施形態による、信号分類システムの説明のため処理のフロー図を示す。
【図５】本開示の１又は複数の例示的な実施形態による、信号分類システムの説明のため処理のフロー図を示す。
【図６】本開示の１又は複数の例示的な実施形態による、信号分類システムの説明のため処理のフロー図を示す。
【発明を実施するための形態】
【０００５】
以下の説明及び図面は、当業者が実施するのに十分に特定の実施形態を説明する。他の実施形態は、構造的、論理的、電子的、処理及び他の変化を組み込んでも良い。幾つかの実施形態の部分及び特徴は、他の実施形態の部分及び特徴に含まれ又はそれらを置き換えても良い。請求の範囲に記載された実施形態は、該請求の範囲の全ての可能な等価物を含む。
【０００６】
用語「例示的な」は、本願明細書において、一例、例、又は説明を提供することを意味するために用いられる。「例示的な」として本願明細書に記載の任意の実施形態は、必ずしも他の実施形態に対して好適である又は有利でるとして考えられない。本願明細書で使用されるような用語「通信局」、「局」、「ハンドヘルド装置」、「モバイル装置」、「無線装置」、及び「ユーザ機器」（ＵＥ）は、セルラ電話機、スマートフォン、タブレット、ノートブック、無線端末、ラップトップコンピュータ、フェムトセル、ＨＤＲ（High  Data  Rate）加入者局、アクセスポイント、アクセス端末、又は他の個人通信システム（personal  communication  system：ＰＣＳ）装置のような無線通信装置を表す。装置は、モバイル又は固定であっても良い。
【０００７】
本願明細書で議論される１又は複数の例示的な実施形態は、コンピューティング装置（たと、アクセスポイント及び／又はコンピューティング装置）間で送信され得る物理レイヤ（ＰＨＹ）プリアンブルの中の種々の信号フィールドの１又は複数の特徴を用いる信号分類のためのシステム、方法、及び装置に関する。例えば、信号は装置により受信されても良く、プリアンブルの中の種々の信号フィールドの内容に基づき、信号が互換性のあるプロトコルを用いて送信されたかどうかが決定されても良い。本開示は概してＩＥＥＥ８０２．１１標準ファミリ（例えば、ＩＥＥＥ８０２．１１ａ／ｇ、ＩＥＥＥ８０２．１１ｎ、ＩＥＥＥ８０２．１１ａｃ、ＩＥＥＥ８０２．１１ａｘ、等）を含むＷｉ−Ｆｉネットワークに関するが、他の無線ネットワーク及びプロトコルが本願明細書に開示される技術を利用しても良い。最古から最新までの標準のリリース日付は、次の通りであることが分かる。ＩＥＥＥ８０２．１１ａ／ｇ、ＩＥＥＥ８０２．１１ｎ、ＩＥＥＥ８０２．１１ａｃ、ＩＥＥＥ８０２．１１ａｘ。また、用語「標準」は、ＩＥＥＥ８０２．１１標準の改訂、更新、リリースを含み得ることが理解される。用語「Ｗｉ−Ｆｉ」及び「ＩＥＥＥ８０２．１１」は、本開示を通じて同義的に使用されることがある。
【０００８】
無線通信セッションの間、２以上のコンピューティング装置は、データフレーム（「フレーム」）としても表されるデータパケット（「パケット」）を送信及び受信することにより互いに通信できる。パケットは、１又は複数のプリアンブル（例えば、ＰＨＹプリアンブル、媒体アクセス制御（ＭＡＣ）プリアンブル、等）を含んでも良い。これらのプリアンブルは、例えば、コンピューティング装置が、別のコンピューティング装置から送信される送信信号に関連し得る入来パケットを正しく処理できるようにするために使用され得る。送信信号（「信号」）は、受信コンピューティング装置に向けられるパケットを含む信号であっても良い。プリアンブルは、少なくとも部分的に、２以上の装置間の送信タイミングを同期化するために、ネットワーク通信において使用され得る。プリアンブルの長さは、パケットを送信するために要する時間に影響を与えることがあり、また、パケットオーバヘッドを増大することがある。
【０００９】
標準的に、ＰＨＹプリアンブルは、データパケットのペイロードを記述するためにコンピューティング装置により使用され得る１又は複数の信号フィールドを含み得る。例えば、ＰＨＹプリアンブルは、パケットのデータレート及び長さを記述するために、レガシ信号フィールド（Ｌ−ＳＩＧ）を含み得る。したがって、受信コンピューティング装置は、パケットの送信の時間期間を計算できる。他のシグナリングフィールドも、使用されるＩＥＥＥ８０２．１１標準に基づき、ＰＨＹプリアンブルに含まれ得る。例えば、ＩＥＥＥ８０２．１１ｎ標準では、ＰＨＹプリアンブルは、高スループット信号（ＨＴ−ＳＩＧ）フィールドに加えて、Ｌ−ＳＩＧフィールドを含み得る。次のＩＥＥＥ８０２.１．１１ａｃ標準では、ＰＨＹプリアンブルは、超高スループット信号（ＶＨＴ−ＳＩＧ）フィールドに加えて、Ｌ−ＳＩＧフィールドを含み得る。最新のＩＥＥＥ８０２．１１ａｘ標準（ＨＥＷ標準としても参照される）のＰＨＹプリアンブルは、高効率信号（ＨＥ−ＳＩＧ）フィールドに加えて、Ｌ−ＳＩＧ、ＨＴ−ＳＩＧ、及び／又はＶＨＴ−ＳＩＧフィールドのような、前のリリースの信号フィールドのうちの１又は複数を含み得る。
【００１０】
種々のＩＥＥＥ８０２．１１コンピューティング装置が同じＩＥＥＥ８０２．１１標準に従わない場合にも、後方互換性はそれらを互いに通信可能にできる。例えば、ＩＥＥＥ８０２．１１ａ／ｇ標準に従うコンピューティング装置とＩＥＥＥ８０２．１１ｎ準に従うコンピューティング装置とは、それらが異なる標準に従う場合にも、互いに通信できる。例えば、ＩＥＥＥ８０２．１１ｎコンピューティング装置が高効率Ｗｉ−Ｆｉ（「ＨＥＷ」、高効率コンピューティング装置のＨＥとしても表される）と通信するために、ＨＥＷコンピューティング装置は、ＩＥＥＥ８０２．１１ｎパケットフォーマットを用いる通信にフォールバックする必要があり得る。これはＨＥＷコンピューティング装置の性能に影響するが、これは、レガシコンピューティング装置との後方互換性を可能にする。ＩＥＥＥ８０２．１１ｎ標準がＩＥＥＥ８０２．１１ａ／ｇ標準の後に導入されたので、ＩＥＥＥ８０２．１１ｎ装置は、ＩＥＥＥ８０２．１１ａ／ｇ標準に準拠するパケットフォーマットを利用することにより、前のＩＥＥＥ８０２．１１ａ／ｇ装置をサポートできる。さらに、ＩＥＥＥ８０２．１１ａｃ標準は、ＩＥＥＥ８０２．１１ａ／ｇ及びＩＥＥＥ８０２．１１ｎのようなレガシシステムをサポートできる。同様に、ＨＥＷ標準は、ＩＥＥＥ８０２．１１ａ／ｇ、ＩＥＥＥ８０２．１１ｎ及びＩＥＥＥ８０２．１１ａｃのようなレガシシステムをサポートできる。
【００１１】
コンピューティング装置がそれらの間で信号を送信し及び受信するとき、別のコンピューティング装置は、１又は複数の信号が該コンピューティング装置に宛てられていなかったとしても、該１又は複数の信号を受信することがある。これは、１又は複数のコンピューティング装置がオーバラップするチャネルで動作しているときに生じ得る。幾つかの実施形態では、次世代Ｗｉ−Ｆｉ装置のレガシＷｉ−Ｆｉ装置との共存が提供され得る。したがって、互いから近距離の範囲内で動作している及び／又はオーバラップするチャネルにアクセスしているコンピューティング装置は、該コンピューティング装置に宛てられていなかった信号を検出し及び保留することができる。コンピューティング装置は、信号に関連するＰＨＹプリアンブルのＬ−ＳＩＧに含まれる長さ値に等しい時間期間の間、チャネルを使用しない（staying  off）ことにより受信した信号の処理を「保留」しても良い。このメカニズムは、データパケットがコンピューティング装置に宛てられていないとき、該コンピューティング装置がメディア（例えば、２以上のコンピューティング装置間のデータ送信に使用されるチャネル）にアクセスすることを防ぐことができる。
【００１２】
信号がより新しいＩＥＥＥ８０２．１１標準から来ていることをレガシ装置が決定すると、レガシＷｉ−Ｆｉ装置は、追加信号の処理も保留して良い。種々のＷｉ−Ｆｉ装置の共存は、パケットのプリアンブル部分を増大すること、及び新しいリリースが識別できるように種々の変調フォーマットに新しいフィールドを追加することにより、達成できる。例えば、パケットに新しいフィールドを追加することは、コンピューティング装置がこの新しいフィールドを期待しているので、実際に認識することを容易にできる。他方で、より古いＩＥＥＥ８０２．１１標準に従う装置は、この新しいフィールドを期待していないので、パケットの残り部分の復号化を保留しても良い。しかしながら、プリアンブルのこのような増大は、新しいフィールドを処理するために必要なオーバヘッドを増大し得る。
【００１３】
別のアプローチは、既存フィールドのうちの１つの繰り返しであっても良い追加フィールドを送信することであり得る。これは、依然としてプリアンブルオーバヘッドに影響を与え得るが、このようなメカニズムは既に実施されている場合があるので、繰り返しフィールドを識別するために追加動作を導入しない。例えば、Ｌ−ＳＩＧフィールドは、新しい送信の中で繰り返されても良い。したがって、ＨＥＷ標準を用いる受信コンピューティング装置は、このようなフィールドを受信することを期待でき、より古いＩＥＥＥ８０２．１１標準に従う装置はそうしなくても良い。このようなアプローチは、繰り返しＬ−ＳＩＧフィールドを有しない送信がＨＥＷコンピューティング装置に宛てられていなかった場合に、該ＨＥＷコンピューティング装置が、該送信の復号化を保留できるようにできる。同様に、より古いＩＥＥＥ８０２．１１標準に従う装置は、繰り返しＬ−ＳＩＧフィールドを認識できず、したがって、これらの種類の送信の復号化を保留し得る。
【００１４】
一実施形態では、次世代ＨＥＷコンピューティング装置は、自身により受信した送信を、次世代送信又はレガシ送信として識別できる。レガシ装置は、ＩＥＥＥ８０２．１１ｇ／ａ、ＩＥＥＥ８０２．１１ｎ、又はＩＥＥＥ８０２．１１ａｃ、等のような前のＷｉ−Ｆｉ標準／改訂に従う任意の装置であって良い。ＨＥＷコンピューティング装置は、レガシ装置と共存でき、各々の送信をＨＥＷパケット又はレガシパケットとして識別できる。例えば、ＨＥＷコンピューティング装置がＩＥＥＥ８０２．１１ａｃコンピューティング装置に従う装置から信号送信を受信する場合、ＨＥＷコンピューティング装置は、信号送信をＨＥＷ送信又はそうではないとして分類し又は決定しても良い。
【００１５】
一実施形態では、ＨＥＷコンピューティング装置は、ＰＨＹプリアンブルを分析して、データレート、１又は複数のＯＦＤＭシンボルの中の長さフィールド、及び１又は複数のＯＦＤＭシンボルの配置（orientation）を決定して良い。種々のＩＥＥＥ８０２．１１標準は、データレート、長さフィールド、及び／又は１又は複数のＯＦＤＭシンボルの配置について特定の要件を有しても良い。例えば、ＩＥＥＥ８０２．１１ａ／ｇパケットは自身のＰＨＹプリアンブルの中に１つのＬ−ＳＩＧフィールドを含んでも良く、ＩＥＥＥ８０２．１１ｎはＬ−ＳＩＧ、ＨＴ−ＳＩＧフィールドの特定の配置を有しても良く、ＩＥＥＥ８０２．１１ａｃは、３で割り切れないというＬ−ＳＩＧフィールドの長さフィールドについての要件を有しても良い。したがって、ＨＥＷコンピューティング装置は、ＰＨＹプリアンブルのこれらの種々の特徴に少なくとも部分的に基づき、受信した信号を区別しても良い。
【００１６】
ＰＨＹプリアンブルの中のシンボルは、ＢＰＳＫコンステレーションマップを用いて表わすことができる。概して、データは、あるコンピューティング装置から別のコンピューティング装置へ送信されるべき変調技術を用いて変調されても良い。１又は複数のＩＥＥＥ８０２．１１標準の変調データは、１又は複数のＯＦＤＭシンボルを含み得る。これらのＯＦＤＭシンボルは、コンステレーションマップ上のそれらの位相分離によりシンボルを表すために、「コンステレーションマップ」にマッピングされ得る。変調方式の一例は、ＢＰＳＫ（binary  phase−shift  keying）であって良い。ＢＰＳＫ変調方式は、シンボルに関連するデータビットを、コンステレーションマップ上に表現される（Ｉ，Ｑ）値にマッピングする。留意すべきことに、ＢＰＳＫは、直交成分のうちの１つのみを使用するが、コンステレーションはＱ軸に対して操作するために回転されて良い。ＢＰＳＫの更なる詳細な説明は、以下に提供される。ＢＰＳＫを一例として用いて、ＰＨＹプリアンブルがＩＥＥＥ８０２．１１ａｃパケットに属することを認識する際に受信コンピューティング装置を支援するために、ＶＨＴ−ＳＩＧ−Ａに含まれる２つのシンボル（例えば、ＶＨＴ−ＳＩＧ−Ａ１及びＶＨＴ−ＳＩＧ−Ａ２）は、９０度だけ離れた位相としてＢＰＳＫコンステレーションマップの中で表現され得る。９０度位相回転は、互いに直交しているとしても表される場合がある。シンボル間の直交性は、一層容易に、シンボルを認識させ及び差別化させる。したがって、シンボルは、１又は複数のＢＰＳＫコンステレーションマップの中の表現を用いることにより、種々のＩＥＥＥ８０２．１１標準の間で比較されて良い。
【００１７】
データレートは、各々の標準が異なるレートで動作し得るので、種々のＩＥＥＥ８０２．１１標準の間で差別化するために使用できる特徴であり得る。例えば、ＩＥＥＥ８０２．１１ｎ及びＩＥＥＥ８０２．１１ａｃシステムの中で、レートフィールドは知られている値に固定されて良く、長さはそれらの装置を互いに保留させ（defer）得る長さに設定されて良い。例えば、コンピューティング装置が自身宛てではない可能性のある信号送信を受信すると、該コンピューティング装置は、データレートに基づき、該送信が該コンピューティング装置宛てではなかったか又は他のＩＥＥＥ８０２．１１標準に従うコンピューティング装置宛てであったかを決定できる。しかしながら、種々のＩＥＥＥ８０２．１１の間のレートがオーバラップする場合があるので、データレートが使用される標準を十分に決定しない状況があり得る。例えば、ＩＥＥＥ８０２．１１ａｃパケットのレートは、ＨＥＷパケットのレートと類似する場合がある。
【００１８】
レートフィールドが種々のシステムの間を差別化するために使用できる場合でも、１又は複数の信号フィールドの配置のような他の特徴を調べる必要があり得る。例えば、ＩＥＥＥ８０２．１１ｎ標準の信号フィールドＨＴ−ＳＩＧは、２つのＯＦＤＭシンボル、つまりＨＴ−ＳＩＧ１及びＨＴ−ＳＩＧ２により構成される。ＩＥＥＥ８０２．１１ａｃのシグナリングフィールドは、２つのフィールド、つまりＶＨＴ−ＳＩＧ−Ａ及びＶＨＴ−ＳＩＧ−Ｂに分けられる。ＶＨＴ−ＳＩＧ−Ａフィールドは、ＩＥＥＥ８０２．１１ｎのＨＴ−ＳＩＧを置き換えるために、ＩＥＥＥ８０２．１１ａｃに導入された。これらの種々の信号シンボル（例えば、ＨＴ−ＳＩＧ１、ＨＴ−ＳＩＧ２、ＶＨＴ−ＳＩＧ−Ａ１、及びＶＨＴ−ＳＩＧ−Ｂ）の配置を用いて、ＩＥＥＥ８０２．１１ｎ及びＩＥＥＥ８０２．１１ａｃに従うコンピューティング装置の間を区別することが可能な場合がある。同様に、ＨＥＷ標準に従うシンボルの配置は、他のＩＥＥＥ８０２．１１標準に従うコンピューティング装置から受信され得る信号を保留するために使用できる。例えば、ＨＥＷシステムでは、ＨＥ−ＳＩＧフィールドは、２つのＯＦＤＭシンボル、つまりＨＥ−ＳＩＧ１及びＨＥ−ＳＩＧ２で構成され得る。これら２つのＯＦＤＭシンボルは、ＢＰＳＫコンステレーションの中で互いの間で９０度だけ回転されても良い。この配置は、ＨＥＷコンピューティング装置が少なくとも１つのＩＥＥＥ８０２．１１ａ／ｇ及びＩＥＥＥ８０２．１１ｎから来る信号が該ＨＥＷコンピューティング装置宛ではなかった場合に、該信号を保留するのを支援できる。
【００１９】
幾つかの実施形態では、１又は複数のＯＦＤＭシンボルのレート及び配置を調べることは、信号送信がＩＥＥＥ８０２．１１ａｃから又はＨＥＷコンピューティング装置から来ていることを決定するためには十分ではないことがある。１又は複数のＯＦＤＭシンボルのレート及び配置を決定することに加えて、幾つかの実施形態では、ＨＥＷコンピューティング装置は、１又は複数のＯＦＤＭシンボルのうちの１つに含まれる長さフィールド（例えば、Ｌ−ＳＩＧ）の値を決定し、長さフィールドの値が３で割り切れるか否かを決定しても良い。長さフィールドの値が３で割り切れるか場合、信号送信は、ＩＥＥＥ８０２．１１ａｃ装置から来ていると決定できる。その他の場合、長さフィールドの値が３で割り切れない場合、信号送信は、ＨＥＷコンピューティング装置から来ていると決定できる。
【００２０】
図１Ａは、本開示の１又は複数の実施形態による、説明のための信号分類システム１００のコンポーネント間の説明的な概略図を示す。説明のための信号分類システム１００は、少なくとも部分的にネットワーク１３２を通じて互いに通信して良いコンピューティング装置１２０を有して良い。例えば、コンピューティング装置１２２、１２４、１２６、１２８、１３０のうちの任意のものは、互いに及び信号分類システム１００の任意の他のコンポーネントと、少なくとも部分的にネットワーク１３２を介して通信するよう構成されて良い。
【００２１】
１又は複数の説明のためのコンピューティング装置１２０は、１又は複数のユーザ１０１により動作可能であって良い。コンピューティング装置１２０（例えば、コンピューティング装置１２２、１２４、１２６、１２８、１３０）は、限定ではなく、デスクトップコンピューティング装置、ラップトップコンピューティング装置、サーバ、ルータ、スイッチ、アクセスポイント、スマートフォン、タブレット、ウェアラブル無線装置（例えば、ブレスレット、腕時計、眼鏡、指輪、等）等を含む任意の適切なプロセッサにより駆動されるコンピューティング装置を含んで良い。
【００２２】
図１Ａの例示的な実施形態では、コンピューティング装置１２２、１２４及び１２６は、それぞれＩＥＥＥ８０２．１１ａ／ｇ、８０２．１１ｎ、及び８０２．１１ａｃ標準に従う装置を含んで良い。コンピューティング装置１２８及び１３０は、（例えば、８０２．１１ａｘ標準に従う）ＨＥＷコンピューティング装置として図示できる。この例示的な実施形態は特定の８０２．１１標準及び改訂を含むが、これは限定として考えられるべきではなく、代わりに他のＩＥＥＥ８０２．１１標準及び改訂が使用できる。
【００２３】
少なくとも２つのコンピューティング装置１２０の間の無線通信セッションの間に、信号は、送信コンピューティング装置から宛先受信コンピューティング装置へ送信されて良い。しかしながら、これらの信号は、部分的にはオーバラップするチャネルに起因して、他のコンピューティング装置１２０によっても受信されて良い。オーバラップするチャネルは、１又は複数のコンピューティング装置が１つのアクセスポイントと共に動作している状況で生じることがある。オーバラップするチャネルは、複数のアクセスポイントと共に動作しているコンピューティング装置の間でも生じることがある。２以上のアクセスポイントの間のオーバラップするチャネルは、オーバラップ基本サービスセット（basic  service  set：ＢＳＳ）として参照され得る。ＢＳＳは、多数のコンピューティング装置及びアクセスポイントで構成される。この状況では、種々のＩＥＥＥ８０２．１１に従うコンピューティング装置は、受信信号が自身を宛先とするか否か、又は復号化を保留すべきか否か、を決定して良い。
【００２４】
コンピューティング装置が自身を宛先としない信号を受信すると、該コンピューティング装置は、信号が自身を宛先としていたか否か、及び受信信号が該コンピューティング装置と同じＩＥＥＥ８０２．１１標準に従うか否かを決定するために、受信信号を処理し始めて良い。信号に関連するパケットは、例えば、ＰＨＹプリアンブル（例えば、１３４）により先行されて良い。ＰＨＹプリアンブル１３４は、少なくとも部分的に、２以上の装置間の送信タイミングを同期化するために、ネットワーク通信において使用され得る。一例では、コンピューティング装置１３０から送信されるＨＥＷ信号１１０は、コンピューティング装置１２８を宛先として良い。信号１１０は、オーバラップするチャネルを通信し又は傾聴している可能性のある他のコンピューティング装置１２２、１２４、１２６のうちのいずれかにより受信されて良い。例えば、コンピューティング装置１２６が信号１１０の受信範囲内に存在した場合、コンピューティング装置１２６が信号１１０の宛先受信者ではなかったとしても、コンピューティング装置１２６は信号１１０を受信できる。受信範囲は、コンピューティング装置間の距離、信号電力、ノイズレベル、及びコンピューティング装置の種類により決定できる。理解されるべきことに、以上は、受信範囲を決定するための例にすぎず、他のメカニズムが受信範囲を決定するために利用されて良い。
【００２５】
幾つかの実施形態では、コンピューティング装置１２０の各々（例えば、１２２、１２４、１２６、１２８、１３０）は、受信信号のうちのいずれかが該コンピューティング装置を宛先とするか否か、及び受信信号に関連するパケットの復号化を保留すべきか否かを決定して良い。そうするために、コンピューティング装置１２０は、ＰＨＹプリアンブルの中の１又は複数のフィールドを分析することにより、受信パケットの間で区別して良い。上述の例を続けると、コンピューティング装置１２６は、受信信号１１０に関連するパケットを復号化するべきか又はしないべきかを決定して良い。同様に、１２２、１２４、１２８及び１３０のような他の装置は、実際に該装置を宛先としない可能性があるが該装置により受信された信号に関連するパケットを復号化すべきか又は復号化を保留すべきかを決定する必要があって良い。別の例として、ＩＥＥＥ８０２．１１ａｃ装置であるコンピューティング装置１２６が信号１０２を受信する場合、コンピューティング装置１２６は、ＰＨＹプリアンブルに含まれる１又は複数の信号フィールド（例えば、Ｌ−ＳＩＧ）を分析することにより、信号１０２が自身を宛先としていなかったことを決定して良い。例えば、コンピューティング装置１２６がコンピューティング装置１２２から来る信号１０２を受信する場合、信号１０２に関連するＰＨＹプリアンブルは、ＩＥＥＥ８０２．１１ａ／ｇ標準に従うプリアンブルであって良い。
【００２６】
コンピューティング装置１２４がコンピューティング装置１２６から来る信号１０６を受信する場合、信号１０６に関連するＰＨＹプリアンブルは、ＩＥＥＥ８０２．１１ａｃ標準に従うプリアンブルであって良い。後述するように、コンピューティング装置１２２、１２４、１２６、１２８は、ＰＨＹプリアンブルの中の１又は複数の信号フィールドの特徴を利用して、受信信号のうちのいずれかが該コンピューティング装置を宛先としているか否か、及びパケットの残りの部分を復号化すべきか若しくは復号化を保留すべきかを決定して良い。
【００２７】
図１Ｂ〜１Ｄは、種々のＩＥＥＥ８０２．１１標準に従うＰＨＹプリアンブルを有する種々のデータパケットを示す。例えば、図１Ｂは、ＰＨＹプリアンブル（例えば、１５０）を含むＩＥＥＥ８０２．１１ａ／ｇパケットを示す。図１Ｃは、２つの部分、つまり１５０ａ及び１５３を有するＰＨＹプリアンブルを含むＩＥＥＥ８０２．１１ａｃパケットを示す。図１Ｄは、２つの部分、つまり１５０ｂ及び１５７を有するＰＨＹプリアンブルを含むＩＥＥＥ８０２．１１ａｘ（又はＨＥＷ）パケットを示す。これらの異なるプリアンブルに含まれる種々のフィールドは、コンピューティング装置が受信されている送信の種類を決定するのを支援できる。つまり、送信がＩＥＥＥ８０２．１１ａ／ｇ、ＩＥＥＥ８０２．１１ｎ、ＩＥＥＥ８０２．１１ａｃ、又はＩＥＥＥ８０２．１１ａｘ送信であるか否か。
【００２８】
図１Ｂは、レガシＩＥＥＥ８０２．１１装置がレガシＩＥＥＥ８０２．１１システムの中でどのように動作するかを定めることができる、レガシＩＥＥＥ標準のうちの１つ（例えば、ＩＥＥＥ８０２．１１ａ／ｇ）に従う説明のためのデータパケットフォーマットを示す。例えば、ＩＥＥＥ８０２．１１ａ／ｇ標準では、パケット構造は、レガシプリアンブル１５０を有して良い。これは、データパケットのプリアンブルを構成して良い、レガシ短トレーニングフィールド（legacy  short  training  field：Ｌ−ＳＴＦ）、レガシ長トレーニングフィールド（legacy  long  training  field：Ｌ−ＬＴＦ）、及びＬ−ＳＩＧフィールドを含んで良い。Ｌ−ＳＩＧフィールドは、パラメータの中でも特に符号化及び変調（例えば、レート１５１）及び長さ１５２の範囲まで、データフィールドに関する情報を提供できる。データフィールド（ペイロードとしても参照される）は、プリアンブルに含まれて良い。
【００２９】
レガシ装置とより新しい装置との間の通信は後方互換性のために可能であるが、ＩＥＥＥ８０２．１１ａ／ｇ装置は、これらの装置を宛先としない信号を保留して良い。ＩＥＥＥ８０２．１１ａ／ｇ装置は、パケットのレガシ部分を認識できるが、パケットの残りの部分を認識できず、したがって正しく復号化することができない。この場合、ＩＥＥＥ８０２．１１ａ／ｇ装置は、Ｌ−ＳＩＧフィールドに含まれる長さフィールドと等しくて良い時間期間の間、信号送信の復号化を延期して良い。
【００３０】
図１Ｃは、ＩＥＥＥ８０２．１１ａｃ装置がＩＥＥＥ８０２．１１ａｃシステムの中でどのように動作するかを定めることができるＩＥＥＥ８０２．１１ａｃ標準に従うパケットフォーマットの説明のための例を示す。ＩＥＥＥ８０２．１１ａｃシステムでは、パケットは、プリアンブルのレガシ部分１５０ａで開始して良い。これは、より古いＩＥＥＥ８０２．１１標準に従う装置が、ＩＥＥＥ８０２．１１ａｃ標準に従う装置と通信できることを意味する。さらに、パケットは、ＩＥＥＥ８０２．１１ａｃ標準に従い得る種々のフィールドを含んで良い超高スループット（ＶＨＴ）プリアンブル１５３も含んで良い。ＶＨＴプリアンブル１５３は、２つのシンボル、つまりＨＴ−ＳＩＧ−Ａ１  １５５及びＶＨＴ−ＳＩＧ−Ａ２  １５６で構成されて良いＶＨＴ−ＳＩＧ−Ａ１５４フィールドを含んで良い。ＶＨＴプリアンブル１５３は、約４μｓの期間を有するチャネルトレーニングのために使用できる多数のＶＨＴ長トレーニングフィールド（ＶＨＴ−ＬＴＦ１、．．．、ＶＨＴ−ＬＴＦＮ）を含んで良い。ここで、Ｎ＝１，２，８，である。トレーニングフィールドの次に、トレーニングフィールドに続き得る４μｓの期間を有して良いＶＨＴ−ＳＩＧ−Ｂフィールドが続いて良い。ＶＨＴ−ＳＩＧ−Ｂフィールドは、各々のコンピューティング装置に固有の設定を含み得る。したがって、データフィールドは、受信コンピューティング装置を宛先とするデータを含み得る。
【００３１】
図１Ｄは、ＨＥＷ装置がＨＥＷシステムの中でどのように動作するかを定めることができるＩＥＥＥ８０２．１１ａｘ又はＨＥＷ標準に従うパケットフォーマットの説明のための例を示す。ＨＥＷシステムでは、パケットは、プリアンブルのレガシ部分１５０ｂで開始して良い。これは、より古いＩＥＥＥ１．１１標準に従う装置が、ＨＥＷ標準に従う装置と通信できることを意味する。１５０ｂ部分の後に、ＨＥ−ＳＩＧフィールド１５８が続いて良い。レガシプリアンブル部分１５０ｂは、ＩＥＥＥ８０２．１１ａ／ｇのようなレガシ標準と互換性があって良い。さらに、パケットは、ＩＥＥＥ８０２.１．１１ａｘ標準に従い得る種々のフィールドを含む高効率（ＨＥ）プリアンブル１５７も含んで良い。ＨＥプリアンブル１５７は、２つのシンボル、つまりＨＥ−ＳＩＧ１  １５９及びＶＨＥ−ＳＩＧ１６０で構成されて良い信号フィールドＶＨＥ−ＳＩＧ１５８を含んで良い。ＨＥプリアンブル１５７は、約４μｓの期間を有するチャネルトレーニングのために使用できる多数のＨＥ長トレーニングフィールド（ＨＥ−ＬＴＦ１、．．．、ＨＥ−ＬＴＦＮ）を含んで良い。ここで、Ｎ＝１，２，８，である。トレーニングフィールドの次に、トレーニングフィールドに続き得る４μｓの期間を有して良いＨＥ−ＳＩＧ−Ｂフィールドが続いて良い。ＨＥ−ＳＩＧ−Ｂフィールドは、各々のコンピューティング装置に固有の設定を含み得る。したがって、データフィールドは、受信コンピューティング装置を宛先とするデータを含み得る。
【００３２】
より古いＩＥＥＥ８０２．１１標準（ＩＥＥＥ８０２．１１ａ／ｇ／、ＩＥＥＥ８０２．１１ｎ、及び／又はＩＥＥＥ８０２．１１ａｃ）とより新しいＩＥＥＥ８０２．１１標準（例えば、ＨＥＷ標準）に従う装置から受信される信号の間を区別する別のアプローチは、より新しい標準の中で、例えばＨＥＷパケットの中で、既存のフィールドのうちの１つの繰り返しであって良い追加フィールドを送信することであって良い。これは、依然としてプリアンブルオーバヘッドに影響を与え得るが、このようなメカニズムは既に実施されている場合があるので、繰り返しフィールドを識別するために追加動作を導入しない。例えば、Ｌ−ＳＩＧフィールドは、新しい送信の中で繰り返されても良い。したがって、ＨＥＷ標準を用いる受信コンピューティング装置は、このようなフィールドを受信することを期待でき、より古いＩＥＥＥ８０２.１．１１標準に従う装置はそうしなくても良い。このようなアプローチは、繰り返しＬ−ＳＩＧフィールドを有しない送信がＨＥＷコンピューティング装置に宛てられていなかった場合に、該ＨＥＷコンピューティング装置が、該送信の復号化を保留できるようにできる。同様に、より古いＩＥＥＥ８０２．１１標準に従う装置は、繰り返しＬ−ＳＩＧフィールドを認識できず、したがって、これらの種類の送信の復号化を保留し得る。
【００３３】
図１Ｅは、繰り返し信号フィールドを用いてＨＥＷ標準に従うパケットフォーマットの説明のための例を示す。Ｌ−ＳＩＧフィールド１６１の繰り返しであって良い追加Ｌ−ＳＩＧフィールド（例えば、繰り返されるＬ−ＳＩＧ１６２）は、依然としてプリアンブルオーバヘッドに影響を与え得るが、このようなメカニズムは既に行われている場合があるので、繰り返しフィールドを識別するために追加動作を導入しなくても良い。例えば、Ｌ−ＳＩＧフィールド１６１は、ここでも、新しいＨＥＷパケットの中で繰り返されるＬ−ＳＩＧとし送信されて良い。したがって、ＨＥＷ標準を用いる受信コンピューティング装置は、このようなフィールドを受信することを期待でき、より古いＩＥＥＥ８０２．１１標準に従う装置はそうしなくても良い。再び図１を参照すると、一例では、コンピューティング装置１２２が、信号１０４のような自身を宛先としない信号を受信する場合、コンピューティング装置１２２は、ＰＨＹプリアンブルに含まれる１又は複数のシグナリングフィールドの特徴に少なくとも部分的に基づき、受信信号送信が自身を宛先としなかったことを決定できる。コンピューティング装置１２２は、プリアンブルのレガシ部分を認識できるが、レガシ部分に続く部分を認識できない。なぜなら、ＩＥＥＥ８０２．１１ｎに従うコンピューティング装置のＰＨＹプリアンブルは、ＩＥＥＥ８０２．１１ａ／ｇに従うコンピューティング装置と比べて、追加フィールドを含み得るからである。したがって、コンピューティング装置１２２は、ＰＨＹプリアンブルのＬ−ＳＩＧフィールドに含まれる長さフィールドの値と等しくて良い時間期間の間、チャネルを使用しない（staying  off）ことにより、受信信号の復号化を保留して良い。
【００３４】
別の例では、ＩＥＥＥ８０２．１１ａｃ装置（例えば、コンピューティング装置１２６）は、信号送信同士を区別するために、ＨＴ−ＳＩＧ１、ＨＴ−ＳＩＧ２、ＶＨＴ−ＳＩＧ−Ａ１及び／又はＶＨＴ−ＳＩＧ−Ａ２のような１又は複数の信号フィールドのＢＰＳＫ表現の配置に少なくとも部分的に基づき、ＩＥＥＥ８０２．１１ａｃパケットをＩＥＥＥ８０２．１１ａ／ｇ及びＩＥＥＥ８０２．１１ｎパケットから区別できる。例えば、コンピューティング装置１２６が信号１０２及び／又は１０４を受信する場合、コンピューティング装置１２６は、信号１０２及び／又は１０４の受信したＰＨＹプリアンブルに含まれる１又は複数の信号シンボルの配置を決定して良い。コンピューティング装置１２６は、ＩＥＥＥ８０２．１１ａ／ｇパケットが追加信号フィールドを有しないという事実、及び信号１０４の中のＨＴ−ＳＩＧ１が対応するＩＥＥＥ８０２．１１ａｃ  ＶＨＴ−ＳＩＧ−Ａ１シンボルと直交するという事実に基づき、自身が宛先受信者であったか否かを決定できる。信号がコンピューティング装置１２６を宛先とした場合、コンピューティング装置１２６は、ＰＨＹプリアンブルのＬ−ＳＩＧフィールドに含まれる長さフィールドの値と等しくて良い時間期間の間、チャネルを使用しない（staying  off）ことにより、受信信号の復号化を保留して良い。
【００３５】
別の実施形態では、ＨＥＷコンピューティング装置１２８及び１３０は、レガシＩＥＥＥ８０２．１１ａ／ｇ、ＩＥＥＥ８０２．１１ｎ、及びＩＥＥＥ８０２．１１ａｃパケットからＨＥＷパケットを区別して良い。例えば、ＨＥＷコンピューティング装置１３０は、ＨＥＷパケットをＩＥＥＥ８０２．１１パケットから区別することを目的として、データレート、１又は複数のＯＦＤＭシンボルの配置、及び／又は１又は複数のＯＦＤＭシンボルの長さを決定するために、受信信号（例えば、１０２、１０４、及び／又は１０６）のＰＨＹプリアンブルを復号化し／分析して良い。
【００３６】
ＢＰＳＫ変調方式は、シンボルに関連するデータビットを、コンステレーションマップ上に表現される（Ｉ，Ｑ）値にマッピングする。シンボルは、コンステレーションマップ上の軸として「同相」（Ｉ）及び「直交」（Ｑ）を用いて表現される。シンボルを表現するために、ＢＰＳＫは、１８０度だけ分離される２つの位相をシンボル化する２値の「０」及び２値の「１」を使用する。例えば、２値の「０」はＩ軸上にあり、２値の「１」は２値の「０」と１８０度だけ分離され、Ｉ軸上にある。例えば、ＩＥＥＥ８０２．１１ａ／ｇ  ＰＨＹプリアンブルは、ＢＰＳＫコンステレーションマップの中でＩ軸上に２進値成分を有するとしてＢＰＳＫコンステレーションマップ３４０の中に表現され得るのＬ−ＳＩＧシンボル３０２として表現されるＬ−ＳＩＧフィールドに含まれて良い。
【００３７】
例えば、コンピューティング装置１３０が、ＩＥＥＥ８０２．１１ａ／ｇ送信である信号１０２を受信する場合、コンピューティング装置１３０は、信号１０２に関連するパケットに含まれるＬ−ＳＩＧフィールドに主に基づき、信号がＨＥＷ送信ではないと決定できる。例えば、データレート、及び８０２．１１ａ／ｇパケットが追加信号フィールドを含まないという事実に基づき、コンピューティング装置１３０は、信号がレガシ装置から来ていることを決定できる。コンピューティング装置１３０が信号１０２の宛先受信者ではなかった場合、コンピューティング装置１３０は、パケットの残りの部分の復号化を保留して良い。
【００３８】
コンピューティング装置１３０がコンピューティング装置１２４から信号１０４を受信する場合、ＰＨＹプリアンブルのＬ−ＳＩＧ部分に含まれるデータレートを決定することは、信号がＨＥＷ送信か又は別の種類の送信かを決定するためには十分ではない場合がある。コンピューティング装置１３０は、ＩＥＥＥ８０２．１１ｎパケットを区別するために、変調ＨＴ−ＳＩＧ１及びＨＥ−ＳＩＧ１の配置を利用できる。なぜなら、ＨＥＷパケットの中のＨＥ−ＳＩＧ１シンボルは、ＢＰＳＫコンステレーションマップの中でＩＥＥＥ８０２．１１ｎパケットのＨＴ−ＳＩＧ１シンボルと直交するからである（例えば、ＢＰＳＫコンステレーションマップの中で９０度だけ回転される）。したがって、コンピューティング装置１３０は、信号フィールドシンボルの配置を決定でき、パケットがＩＥＥＥ８０２．１１ｎ送信か又はＨＥＷ送信かを決定できる。
【００３９】
コンピューティング装置１３０が、ＩＥＥＥ８０２．１１ａｃ送信である信号１０６を受信する場合、コンピューティング装置１３０は、レート及びシンボル配置を決定することに加えて、Ｌ−ＳＩＧフィールドに含まれる長さフィールドを決定して良い。一実施形態では、ＨＥＷパケット及びＩＥＥＥ８０２．１１ａｃは、それらの個々の信号シンボルの同様の配置を有して良い。例えば、Ｌ−ＳＩＧ、ＨＥ−ＳＩＧ１、及びＨＥ−ＳＩＧ２のＨＥＷ信号配置は、それぞれＬ−ＳＩＧ、ＶＨＴ−ＳＩＧ−Ａ１、及びＶＨＴ−ＳＩＧ−Ａ２のＩＥＥＥ８０２．１１ａｃ信号と同じ配置を有して良い。したがって、ＨＥＷパケットとＩＥＥＥ８０２．１１ａｃパケットとの間を区別するために別のメカニズムが使用されて良い。
【００４０】
Ｌ−ＳＩＧの中の長さが３で割りきれることを要求し得るＩＥＥＥ８０２．１１ａｃの特徴は、ＩＥＥＥ８０２．１１ａｃシステムとＨＥＷシステムとの間を区別するために使用できる。例えば、ＨＥＷコンピューティング装置が、Ｌ−ＳＩＧの中の長さフィールドが３で割り切れないことを決定する場合、コンピューティング装置は、信号がＨＥＷ送信であることを決定できる。したがって、コンピューティング装置は、送信信号に関連するデータパケットを復号化し続けて良い。
【００４１】
一実施形態では、ＨＥＷコンピューティング装置は、受信パケットの中のＬ−ＳＩＧフィールドの長さが３で割り切れないことを決定することにより、ＨＥＷパケットをＩＥＥＥ８０２．１１ａｃパケットから区別できる。例えば、ＨＥＷパケットは、３で割り切れない値に設定されて良いＬ−ＳＩＧの長さフィールドを含んで良い。このようにすることは、ＨＥＷとＩＥＥＥ８０２．１１ａｃパケットの間の区別を可能にできる。したがって、データパケットに含まれるＬ−ＳＩＧフィールドの長さフィールドは、長さフィールドが３で割り切れるか否かを決定するために評価できる。
【００４２】
通信ネットワークのうちの任意のものは、限定ではないが、例えば、ブロードキャストネットワーク、ケーブルネットワーク、公衆ネットワーク（例えば、インターネット）、私設ネットワーク、無線ネットワーク、セルラネットワーク、又は任意の他の適切な私設及び／又は公衆ネットワークのような異なる種類の適切な通信ネットワークのうちの任意の１つ又は組合せを有しても良い。さらに、通信ネットワークのうちのいずれか（例えば、ネットワーク１３２）は、それに関連する任意の適切な通信範囲を有して良く、例えば、グローバルネットワーク（例えば、インターネット）、都市域ネットワーク（ＭＡＮ）、ローカルエリアネットワーク（ＬＡＮ）、又は個人域ネットワーク（ＰＡＮ）を含んで良い。
【００４３】
さらに、通信ネットワークのいずれか（例えば、ネットワーク１３２）は、限定ではないが、同軸ケーブル、ツイストペア線、光ファイバ、ハイブリッド同軸ファイバ（ＨＦＣ）媒体、マイクロ波地上波通信機、無線周波数通信媒体、ホワイトスペース通信媒体、超高周波数通信媒体、衛星通信媒体、又はそれらの任意の組合せを含む、ネットワークトラフィックが運ばれ得る任意の種類の媒体を含んで良い。
【００４４】
コンピューティング装置１２０は、１又は複数のアクセスポイント１４０と通信しても良い。アクセスポイント１４０は、１又は複数の無線ネットワークへのアクセスを提供するよう構成されて良い。アクセスポイント１４０は、所定領域の無線信号カバレッジを提供して良い。コンピューティング装置１２０は、無線で又は１又は複数のネットワーク１３２を通じてアクセスポイント１４０と通信して良い。アクセスポイント１４０は、無線アクセスポイント、ルータ、サーバ、別のモバイル装置、又はコンピューティング装置１２０にインターネットのようなネットワークへのアクセスを提供するためにコンピューティング装置１２０と無線通信できる任意の装置であって良い。
【００４５】
コンピューティング装置１２０及びアクセスポイント１４０のうちのいずれかは、１又は複数の通信アンテナを有して良い。通信アンテナは、コンピューティング装置１２０及びアクセスポイント１４０により使用される通信プロトコルに対応する任意の適切な種類のアンテナであって良い。適切な通信アンテナの幾つかの非限定的な例は、Ｗｉ−Ｆｉアンテナ、ＩＥＥＥ８０２．１１ファミリ標準準拠アンテナ、指向性アンテナ、無指向性アンテナ、ダイポールアンテナ、折り返しアンテナ、パッチアンテナ、ＭＩＭＯアンテナ、等を含む。通信アンテナは、コンピューティング装置１２０への及び／又はからの通信信号のような信号を送信し及び／又は受信するために無線コンポーネントに通信可能に結合されて良い。コンピューティング装置（例えば、コンピューティング装置１２０及び１５０）及びアクセスポイント１４０のうちのいずれかは、コンピューティング装置１２０及びアクセスポイント１４０のうちのいずれかにより互いに通信するために利用される通信プロトコルに対応する帯域幅及び／又はチャネルで無線周波数（ＲＦ）信号を送信し及び／又は受信する任意の適切な無線及び／又は通信機を有して良い。無線コンポーネントは、予め確立された送信プロトコルに従い通信信号を変調し及び／又は復調するために、ハードウェア及び／又はソフトウェアを有して良い。無線コンポーネントは、ＩＥＥＥ８０２．１１標準により標準化されるような、１又は複数のＷｉ−Ｆｉ及び／又はＷｉ−Ｆｉ  Ｄｉｒｅｃｔプロトコルにより通信するために、ハードウェア及び／又はソフトウェア命令を更に有して良い。特定の例示的な実施形態では、無線コンポーネントは、通信アンテナと協働して、２．４ＧＨｚチャネル（例えば、８０２．１１ｂ、８０２．１１ｇ、８０２．１１ｎ、及び８０２．１１ａｘ）、５ＧＨｚチャネル（例えば、８０２．１１ｎ、８０２．１１ａｃ、８０２．１１ａｘ）、又は６０ＧＨｚチャネル（例えば、８０２．１１ａｄ）又は任意の他の８０２．１１型のチャネル（例えば、８０２．１１ａｘ）により通信するよう構成されて良い。幾つかの実施形態では、Ｂｌｕｅｔｏｏｔｈ（登録商標）、専用短距離通信（dedicated  short−range  communication：ＤＳＲＣ）、超高周波数（Ultra−High  Frequency：ＵＨＦ）、空白帯周波数（例えば、空き領域）、又は他のパケット化無線通信のような非Ｗｉ−Ｆｉプロトコルが、装置間の通信のために使用されて良い。無線コンポーネントは、通信プロトコルを介して通信するために適する任意の知られている受信機及びベースバンドを有して良い。無線コンポーネントは、低雑音増幅器（low  noise  amplifier：ＬＮＡ）、追加信号増幅器、アナログ−デジタル（Ａ／Ｄ）変換器、１又は複数のバッファ、及びデジタルベースバンドを更に有して良い。
【００４６】
図２は、本開示の例示的な実施形態による、信号分類のために構成されるコンピューティング装置１２０の例示的なアーキテクチャを示す概略ブロック図を示す。
【００４７】
コンピューティング装置１２０は、限定ではなく、デスクトップコンピューティング装置、ラップトップコンピューティング装置、サーバ、ルータ、スイッチ、アクセスポイント、スマートフォン、タブレット、ウェアラブル無線装置（例えば、ブレスレット、腕時計、眼鏡、指輪、等）等を含む任意の適切なプロセッサにより駆動されるコンピューティング装置を含んで良い。説明を容易にするために、コンピューティング装置１２０は、本願明細書において単数形で記載される場合があるが（例えば、コンピューティング装置１２０ａ）、しかしながら、複数のコンピューティング装置１２０が設けられて良いことが理解されるべきである。
【００４８】
コンピューティング装置１２０のうちの１又は複数は、１又は複数のプロセッサ２３０、１又は複数の通信プロセッサ２３５、１又は複数のアンテナ２３２、及び／又は１又は複数のメモリ２４０を有して良い。コンピューティング装置１２０は、信号送信パケットに含まれる１又は複数のフィールドを復号化し及び分析するために信号送信パケットを処理できる１又は複数のモジュールを有して良い。
【００４９】
本願明細書に示されるように、プロセッサ２３０は、コンピューティング装置１２０により提供されるサービスに関連する命令、アプリケーション、及び／又はソフトウェアを動作させるよう構成されて良い。これらの命令、アプリケーション、及び／又はソフトウェアは、メモリ２４０に格納されて良く、１又は複数のオペレーティングシステム（Ｏ／Ｓ）２４５及び／又は１又は複数のアプリケーション２５０として示され、並びに、プロセッサ２３０により読み出し可能であり実行可能であって良い。代替で、プロセッサ２３０により実行可能な命令、アプリケーション、及び／又はソフトウェアは、クラウド又は他の遠隔位置のような、任意の適切な場所に格納されて良い。Ｏ／Ｓ２４５及び／又はアプリケーション２５０のような命令、アプリケーション、及び／又はソフトウェアは、物理位置及び／又はメモリ２４０の中のアドレスに対応して良く又はしなくて良い。言い換えると、モジュールの各々の内容は、互いに分離されなくて良く、実際にはメモリ２４０上に少なくとも部分的にインターリーブされた位置に格納されて良い。
【００５０】
プロセッサ２３０は、限定ではなく、中央処理ユニット（ＣＰＵ）、デジタル信号プロセッサ（ＤＳＰ）、縮小命令セットコンピュータ（reduced  instruction  set  computer：ＲＩＳＣ）、複数命令セットコンピュータ（complex  instruction  set  computer：ＣＩＳＣ）、又はそれらの任意の組合せを有して良い。コンピューティング装置１２０は、プロセッサ２３０とコンピューティング装置１２０の他のコンポーネントのうちの１又は複数との間の通信を制御するチップセット（図示しない）も有して良い。一実施形態では、コンピューティング装置１２０は、Ｉｎｔｅｌ（登録商標）アーキテクチャシステムに基づいて良く、プロセッサ２３０及びチップセットは、Ｉｎｔｅｌ（登録商標）Ａｔｏｍ（登録商標）プロセッサファミリのような、Ｉｎｔｅｌ（登録商標）プロセッサ及びチップセットのファミリからであって良い。プロセッサ２３０は、特定のデータ処理機能又はタスクを扱うために１又は複数の特定用途向け集積回路（application−specific  integrated  circuit：ＡＳＩＣ）又は特定用途向け標準化製品（application−specific  standard  product：ＡＳＳＰ）の部分として１又は複数のプロセッサも含んで良い。
【００５１】
１又は複数のアンテナ２３２は、無線通信のための任意の適切なアンテナであって良い。幾つかの例では、１又は複数のアンテナ２３２は、通信プロセッサ２３５、プロセッサ２３０、又はコンピューティング装置１２０の任意の他の要素のうちの１つに統合されて良い。１又は複数のアンテナ２３２は、コンピューティング装置１２０により使用される通信プロトコルに対応する任意の適切な種類のアンテナであって良い。適切な通信アンテナの幾つかの非限定的な例は、Ｗｉ−Ｆｉアンテナ、ＩＥＥＥ（Institute  of  Electrical  and  Electronics  Engineers）８０２．１１ファミリ標準準拠アンテナ、指向性アンテナ、無指向性アンテナ、ダイポールアンテナ、折り返しアンテナ、パッチアンテナ、ＭＩＭＯ（multiple−input  multiple−output）アンテナ、等を含む。通信アンテナは、コンピューティング装置１２０への及び／又はからの通信信号のような信号を送信し及び／又は受信するために無線コンポーネントに通信可能に結合されて良い。
【００５２】
通信プロセッサ２３５は、任意の適切な通信メカニズム、リンク、チャネル、又は標準を介して通信信号を送信し及び／又は受信するために、プロセッサ２３０又はコンピューティング装置１２０の他の要素と通信するよう構成されて良い。通信プロセッサ２３５は、通信信号を受信し、適切に変調し、又はその他の場合には、信号を変換し、Ｗｉ−Ｆｉのような無線チャネルによる送信のために信号をアンテナ２３２に提供するよう構成されて良い。通信プロセッサ２３５は、アンテナ２３２から通信信号を受信し、復調し、又はその他の場合には受信信号を変換し、更なる処理及び／又は記憶のためにプロセッサ２３０に変換した信号を提供するよう更に構成されて良い。特定の態様では、通信プロセッサ２３５は、種々の変調方式、標準、及びチャネルを用いて通信を可能にして良い。幾つかの場合には、通信プロセッサ２３５は、プロセッサ２３０から分離した要素であって良い。他の場合には、通信プロセッサ２３５は、プロセッサ２３０に統合されて良い。
【００５３】
メモリ２４０は、限定ではないが、ＲＡＭ（random  access  memory）、ＤＲＡＭ（dynamic  RAM）、ＳＲＡＭ（static  RAM）、ＳＤＲＡＭ（synchronous  dynamic  RAM）、ＤＤＲ−ＳＤＲＡＭ（double  data  rate−SDRAM）、ＲＤＲＡＭ（RAM−BUS  DRAM）、フラッシュメモリ装置、ＥＥＰＲＯＭ（electrically  erasable  programmable  read  only  memory）、ＮＶＲＡＭ（non−volatile  RAM）、ＵＳＢ（universal  serial  bus）取り外し可能メモリ、又はそれらの組合せを含む、１又は複数の揮発性及び／又は不揮発性メモリ装置を有して良い。
【００５４】
Ｏ／Ｓ２４５は、プロセッサ２３０上の１又は複数のアプリケーション２５０の動作を可能にするよう構成されて良い。一態様では、Ｏ／Ｓ２４５は、コンピューティング装置１２０の種々のハードウェア要素とインタフェースし、利用し、及び／又は制御するために、アプリケーション２５０のための共通インタフェースを提供して良い。オペレーティングシステムの詳細は、良く知られており、本願明細書では大幅に詳細に議論されない。例示的なオペレーティングシステムは、限定ではないが、Ｇｏｏｇｌｅ（登録商標）、Ａｎｄｒｏｉｄ（登録商標）、Ａｐｐｌｅ（登録商標）ｉＯＳ（登録商標）、Ｍｉｃｒｏｓｏｆｔ（登録商標）Ｗｉｎｄｏｗｓ  Ｍｏｂｉｌｅ（登録商標）、Ｍｉｃｒｏｓｏｆｔ（登録商標）Ｗｉｎｄｏｗｓ（登録商標）７、等を含み得る。
【００５５】
Ｏ／Ｓ２４５は、プロセッサ２３０及び／又はコンピューティング装置１２０の通信プロセッサ２３５上の１又は複数の信号分類モジュール（「signal  classification  module：ＳＣＭ」）２５５の動作を可能にするよう構成されて良い。
【００５６】
ＳＣＭ２５５は、受信信号のＰＨＹプリアンブルに含まれる受信された信号フィールドを分析して良い。例えば、ＨＥＷコンピューティング装置１３０は、ＨＥＷパケットを他のＩＥＥＥ８０２．１１パケットから区別することを目的として、データレート、１又は複数のＯＦＤＭシンボルの配置、及び／又は１又は複数のＯＦＤＭシンボルの長さを決定するために、受信信号のＰＨＹプリアンブルの部分を復号化して良い。
【００５７】
ＳＣＭ２５５は、受信信号がＨＥＷコンピューティング装置宛てではなかったと決定された場合に、レガシ装置を保留して良い。コンピューティング装置は、受信信号が該コンピューティング装置宛ではなかった場合、ＰＨＹプリアンブルの中のＬ−ＳＩＧの長さフィールドの値に等しい時間期間の間、チャネルを使用しない（staying  off）ことにより受信信号の処理を保留して良い。一例では、コンピューティング装置１３０が、ＩＥＥＥ８０２．１１ａｃ標準に従うコンピューティング装置、例えばコンピューティング装置１２６から自身宛ではなかった信号を受信する場合、コンピューティング装置１３０は、該信号に関連するパケットの復号化を保留して良い。
【００５８】
ＳＣＭ２５５は、Ｌ−ＳＩＧフィールドの長さフィールドの値を３で割り切れないように設定することにより、１又は複数の送信にオーバヘッドを最小限しか又は全く導入しないことができる。プリアンブルの長さは、パケットを送信するために要する時間に影響を与えることがあり、また、パケットオーバヘッドを増大することがある。パケットのプリアンブル部分を増大すること、及び新しいリリースが識別できるように種々の変調フォーマットに新しいフィールドを追加することにより、種々のＷｉ−Ｆｉ装置の共存を達成することが可能であり得るが、このような増大はオーバヘッドを増大し得る。例えば、１又は複数のシンボルをＰＨＹプリアンブルに追加することは、ＰＨＹプリアンブルを送信するために要する時間を増大し得る。したがって、コンピューティング装置において受信される信号の識別のために必要なオーバヘッドが増大し得る。別の実施形態では、ＳＣＭ２５５は、既存フィールドのうちの１つ、例えばＬ−ＳＩＧの繰り返しであって良い追加フィールドを送信して良い。このようなアプローチは、ＨＥＷコンピューティング装置が、繰り返しＬ−ＳＩＧフィールドを有しない送信の復号化を保留することを可能にできる。同様に、より古いＩＥＥＥ８０２.１１．１１標準に従う装置は、繰り返しＬ−ＳＩＧフィールドを認識できず、したがって、これらの種類の送信の復号化を保留し得る。このアプローチは、依然としてプリアンブルオーバヘッド期間に影響を与え得るが、このようなメカニズムは既に実施されている場合があるので、繰り返しフィールドを識別するために追加動作を導入しなくて良い。したがって、基準に従い既存のフィールドの値を設定することにより、ＳＣＭ２５５は、ＩＥＥＥ８０２．１１装置パケット送信の間を保留するために、１又は複数の送信にオーバヘッドを最小限しか又は全く導入しなくて良い。
【００５９】
幾つかの実施形態では、ＳＣＭ２５５は、レガシシステム（例えば、ＩＥＥＥ８０２．１１ａ／ｇ）を保留するために、Ｌ−ＳＩＧのレートフィールドを使用して良い例えば、コンピューティング装置１３０がＩＥＥＥ８０２．１１ａ／ｇコンピューティング装置１２２から信号を受信する場合、レートフィールドは、レガシ送信からＨＥＷ送信を区別するのに十分であり得る。
【００６０】
しかしながら、ＨＥＷコンピューティング装置１２８がレートフィールドを正しく決定できなかった場合、及び信号はレガシ送信であるために、ＰＨＹプリアンブルは、ＨＥＷコンピューティング装置により期待され得る追加シグナリングフィールド（例えば、ＨＥ−ＳＩＧ）が欠如している場合がある。したがって、ＳＣＭ２５５は、受信信号１０２の復号化を依然として保留して良い。
【００６１】
幾つかの実施形態では、受信信号１０６がＳＣＭ２５５を実行しているコンピューティング装置宛ではなかった場合、ＳＣＭ２５５は、１２６のようなＩＥＥＥ８０２．１１ａｃコンピューティング装置から来るパケットを保留するために、Ｌ−ＳＩＧの長さフィールドを使用して良い。例えば、受信信号１０６のＰＨＹプリアンブルのＬ−ＳＩＧフィールドの中の長さフィールドが３で割り切れる場合、ＳＣＭ２５５は、受信信号１０６がＨＥＷパケットと関係ないことを決定でき、したがって該パケットの残りの部分の復号化を保留し良い。
【００６２】
ＳＣＭ２５５は、他のシステムからの送信を保留するために、レガシＬ−ＳＩＧの中の長さフィールドを変更して良い。ＳＣＭ２５５は、Ｌ−ＳＩＧフィールドの中の長さフィールドを、ＩＥＥＥ８０２．１１ａｃで定められた長さより僅かに長くなるよう設定することにより、ＨＥＷ信号の長さを変更して良い。例えば、ＩＥＥＥ８０２．１１ａｃでは、Ｌ−ＳＩＧの長さフィールドは、ＩＥＥＥ８０２．１１ａｃパケットの全長をカバーできる値に設定され、全長は３で割り切れるようになっている。したがって、ＳＣＭ２５５は、ＨＥＷ標準の長さを、ＩＥＥＥ８０２．１１ａｃの長さより長く、長さが３で割り切れないように、設定して良い。そうするときに、ＨＥＷコンピューティング装置は、パケットがＨＥＷパケットか又は受信信号に含まれる長さフィールドの決定に基づかないかを決定して良い。
【００６３】
ＳＣＭ２５５は、ＩＥＥＥ８０２．１１ａ／ｇ及びＩＥＥＥ８０２．１１ｎ装置のようなレガシ装置からのパケット送信を保留するために、ＨＥ−ＳＩＧフィールドをＢＰＳＫで変調して良く、別のＨＥ−ＳＩＧフィールドを回転ＢＰＳＫで変調して良い。例えば、ＨＥＷシステムでは、ＰＨＹプリアンブルのＨＥ−ＳＩＧフィールドは、２つのＯＦＤＭシンボル、つまりＨＥ−ＳＩＧ１及びＨＥ−ＳＩＧ２で構成されて良い。これら２つのＯＦＤＭシンボルは、ＢＰＳＫコンステレーションの中で互いの間で９０度だけ回転されても良い。１つのシンボルにより表現されるＩＥＥＥ８０２．１１ａ／ｇ信号フィールドと比べて、ＨＥＷコンピューティング装置は、ＩＥＥＥ８０２．１１ａ／ｇとＨＥＷ送信との間を区別可能であり得る。ＩＥＥＥ８０２．１１ｎでは、ＨＴ−ＳＩＧフィールドの２つのシンボル、つまりＨＴ−ＳＩＧ１及びＨＴ−ＳＩＧ２は、ＢＰＳＫコンステレーションマップの中で互いに同じ回転を有する。したがって、ＨＥＷコンピューティング装置は、回転の相違に基づき、ＩＥＥＥ８０２．１１ｎとＨＥＷ送信との間を区別可能であり得る。
【００６４】
図３は、本開示の１又は複数の実施形態に従い、種々のＩＥＥＥ８０２．１１標準のＢＰＳＫコンステレーションマップのセット３００を示す説明のための信号分類システムを示す。
【００６５】
図３は、ＩＥＥＥ８０２．１１ａ／ｇのＢＰＳＫコンステレーションマップ３４０、ＩＥＥＥ８０２．１１ｎのＢＰＳＫコンステレーションマップ３４５、ＩＥＥＥ８０２．１１ａｃのＢＰＳＫコンステレーションマップ３５０、及びＩＥＥＥ８０２．１１ａｘ（例えばＨＥＷ）標準のＢＰＳＫコンステレーションマップ３５５のような、種々のＩＥＥＥ８０２．１１標準に関連する信号フィールドのＢＰＳＫ表現を示す。
【００６６】
一実施形態では、Ｌ−ＳＩＧ、ＨＴ−ＳＩＧ、ＶＨＴ−ＳＩＧ、及びＨＥ−ＳＩＧのようなＰＨＹプリアンブルの中の信号フィールドを表す１又は複数のシンボルの配置が、種々のＩＥＥＥ８０２．１１標準の間で区別できる。シンボルは、ＢＰＳＫコンステレーションマップのセット３００の中に表現できる。
【００６７】
ＩＥＥＥ８０２．１１ｎは、ＢＰＳＫコンステレーションマップ３４５の中に表現される３個のシンボル、つまりＬ−ＳＩＧ３０２ａ、ＨＴ−ＳＩＧ１  ３０４、ＨＴ−ＳＩＧ２  ３０６を有して良い。例えば、Ｌ−ＳＩＧ３０２ａはＩ軸上に、ＨＴ−ＳＩＧ１  ３０４はＱ軸上に、ＨＴ−ＳＩＧ２  ３０６はＱ軸上に表現されて良い。
【００６８】
ＩＥＥＥ８０２．１１ａｃは、ＢＰＳＫコンステレーションマップ３５０の中に表現される３個のシンボル、つまりＬ−ＳＩＧ３０２ｂ、ＶＨＴ−ＳＩＧ−Ａ１  ３０８、ＶＨＴ−ＳＩＧ−Ａ２  ３１０を有して良い。例えば、Ｌ−ＳＩＧ３０２ｂはＩ軸上に、ＶＨＴ−ＳＩＧ−Ａ１  ３０８はＩ軸上に、ＶＨＴ−ＳＩＧ−Ａ２  ３１０はＱ軸上に表現されて良い。相対する軸の上に表現されるシンボルは、互いに直交するとして参照され得る。ＩＥＥＥ８０２．１１ａｃの場合には、ＶＨＴ−ＳＩＧ−Ａ１  ３０８及びＶＨＴ−ＳＩＧ−Ａ２  ３１０は、互いに直交する。
【００６９】
一実施形態では、ＨＥＷコンピューティング装置は、ＰＨＹプリアンブルの信号フィールドの中の１又は複数のシンボルの配置に少なくとも部分的に基づき、ＨＥＷ送信を区別できる。例えば、ＨＥＷは、ＢＰＳＫコンステレーションマップ３５５の中に表現される３個のシンボル、つまりＬ−ＳＩＧ３０２ｃ、ＨＴ−ＳＩＧ１  ３１２、ＨＴ−ＳＩＧ２  ３１４を有して良い。例えば、Ｌ−ＳＩＧ３０２ｃはＩ軸上に、ＨＥ−ＳＩＧ１  ３１２はＱ軸上に、ＨＥ−ＳＩＧ２  ３１４はＱ軸上に表現されて良い。したがって、ＨＥ−ＳＩＧ１及びＨＥ−ＳＩＧ２は互いに直交する。さらに重要なことに、それらの配置は、ＩＥＥＥ８０２．１１ａｃシンボルと類似する。しかしながら、これは、ＨＥ−ＳＩＧシンボルの表現をＶＨＴ−ＳＩＧの表現と類似させる。したがって、ＨＥＷ送信は、シンボルの配置を用いて容易に区別できない。例えば、ＩＥＥＥ８０２．１１ａｃ送信（例えば、図１Ａの信号１０６）が、ＨＥＷコンピューティング装置１３０宛てではない場合、信号フィールドシンボルの配置が同じであるために、信号１０６がＨＥＷ送信かＩＥＥＥ８０２．１１ａｃ送信かを区別できない。
【００７０】
他方で、ＶＨＴ−ＳＩＧ回転と同じ表現を有することは、ＨＥＷコンピューティング装置、例えばコンピューティング装置１２８は、シンボルの配置に基づきレガシＩＥＥＥ８０２．１１ａ／ｇ及びＩＥＥＥ８０２．１１ｎ送信又は任意の他のレガシ送信（例えば、信号１０２及び１０４）を保留する能力があり得る。
【００７１】
一実施形態では、ＨＥＷ送信のＬ−ＳＩＧフィールドに含まれる長さフィールドは、ＨＥＷコンピューティング装置とＩＥＥＥ８０２．１１ａｃ装置との間を区別するために使用できる。例えば、ＩＥＥＥ８０２．１１ａｃは、自身のＬ−ＳＩＧフィールドの長さフィールドに関する厳格なルールを含む。Ｌ−ＳＩＧの中の長さは、ＩＥＥＥ８０２．１１ａｃの中で、３に割り切れるよう設定された。例えば、送信がＩＥＥＥ８０２．１１ａｃコンピューティング装置により受信されるとき、ＩＥＥＥ８０２．１１ａｃコンピューティング装置は、Ｌ−ＳＩＧフィールドの長さフィールドが３で割り切れるか否かを決定して良い。長さが３で割り切れる場合、ＩＥＥＥ８０２．１１ａｃコンピューティング装置は、パケットの残りの部分の長さに対応する期間の間、無線を使用しないことにより、保留しなければならない。他方で、長さ値が３で割り切れる場合には、ＩＥＥＥ８０２．１１ａｃコンピューティング装置は、パケットの復号化を続けて良い。
【００７２】
一実施形態では、ＨＥＷパケットのＬ−ＳＩＧフィールドは、他のＩＥＥＥ８０２．１１標準と異なり得る基準に従い変更され得る長さフィールドを含んで良い。この基準は、ＰＨＹプリアンブルのオーバヘッドに最小限の影響を伴い、長さを増大して良い。例えば、ＨＥＷパケットを識別するために、アプローチは、ＨＥＷパケットのＬ−ＳＩＧの中の長さ値を３で割り切れないように設定して良い。これは、ＩＥＥＥ８０２．１１ａｃコンピューティング装置に、該装置がこのテストに失敗して以来、正しく保留されるようにできる。
【００７３】
さらに、Ｌ−ＳＩＧの繰り返しは、大規模遅延拡散チャネルにおける性能を向上するために使用できる。一実施形態では、これは、屋外使用の場合に、ＨＥＷに適用可能である。繰り返しＬ−ＳＩＧは、Ｌ−ＳＩＧの偶数トーンにより投入されるだけで良く、レガシ長さフィールドの拡張された（全チャネルにおいて、より良好な性能）を提供するために、２つのＳＩＧフィールドがコヒーレントに結合されて良い。これは、長さフィールドの検出が一層堅牢になるので、本アプローチの性能を更に向上できる。したがって、追加Ｌ−ＳＩＧを追加することは、任意であるが、性能を向上できる。
【００７４】
図４は、本開示の１又は複数の実施形態による、信号分類システムの説明のため処理４００のフロー図を示す。処理４００は、概して、コンピューティング装置から、物理レイヤ（ＰＨＹ）プリアンブルを有する信号送信パケットを受信するステップを有して良い（ブロック４０２）。処理４００は、ＰＨＹプリアンブルに関連する１又は複数の信号（ＳＩＧ）フィールドを識別するステップを有して良い（ブロック４０４）。例えば、ＰＨＹプリアンブルは、レートフィールド及び／又は長さフィールドを有し得るＬ−ＳＩＧフィールドを有して良い。レートフィールドは、信号送信パケットの送信レートを決定する。一方で、長さフィールドは、受信信号送信パケットの長さを示す。処理４００は、１又は複数のＳＩＧフィールドに少なくとも部分的に基づき、ＰＨＹプリアンブルが所定の通信標準に従うか否かを決定するステップを有して良い（ブロック４０６）。例えば、ＨＥＷ装置は、ＰＨＹプリアンブルがＨＥＷ標準に従うか否かを決定して良い。つまり、ＰＨＹプリアンブルは、１又は複数のＨＥ  ＳＩＧフィールド（例えば、ＨＥ−ＳＩＧ、ＨＥ−ＳＩＧＢ、等）を有して良い。処理４００は、所定の通信標準に少なくとも部分的に基づき、信号送信パケットを復号化するか又は復号化を保留するかを決定して良い（ブロック４０８）。
【００７５】
図５は、本開示の１又は複数の実施形態による、信号分類システムの説明のため処理５００のフロー図を示す。処理５００は、概して、コンピューティング装置から、物理レイヤ（ＰＨＹ）プリアンブルを有する信号送信パケットを受信するステップを有して良い（ブロック５０２）。ここで、ＰＨＹプリアンブルはＬ−ＳＩＧフィールドを有して良い。処理５００は、Ｌ−ＳＩＧの中のレートフィールドがＨＥＷ送信に関連するレートか否かを決定して良い（ブロック５０４）。レートがＨＥＷレートではない場合、処理５００は、任意の追加ＳＩＧフィールドが受信信号送信パケットの中に含まれるか否かを決定して良い（ブロック５０６）。処理５００は、ＰＨＹプリアンブルの中に更なるＳＩＧフィールドが存在しなかった場合、信号送信パケットをＩＥＥＥ８０２．１１ａ／ｇ送信として分類して良い（ブロック５０８）。処理５００は、ＰＨＹプリアンブルの中に追加ＳＩＧフィールドが存在した場合、信号送信パケットをＩＥＥＥ８０２．１１ｎ送信として分類して良い。処理５００が、レートフィールドはＨＥＷレートに関連することを決定する場合、処理５００は、ＰＨＹプリアンブルに含まれるＳＩＧフィールドの配置を決定するステップに進んで良い（ブロック５１２）。ＳＩＧフィールドの配置がＨＥ−ＳＩＧ  ＢＰＳＫ配置と一致しない場合、受信レートの起こり得るエラーのためにレートがＨＥＷレートであると決定された場合であっても、処理５００は、受信信号送信パケットをＩＥＥＥ８０２．１１ｎ送信として分類して良い（ブロック５１０）。処理５００が、受信信号送信パケットのＰＨＹプリアンブルに含まれるＳＩＧフィールドの配置がＨＥ−ＳＩＧ  ＢＰＳＫ配置のものと一致することを決定する場合、処理５００は、ＰＨＹプリアンブルのＬ−ＳＩＧフィールドの中の長さフィールドが３で割り切れるか又は割り切れないかを決定するステップに進む（ブロック５１４）。処理５００が、長さは３で割り切れることを決定する場合、処理５００は、受信信号送信パケットをＩＥＥＥ８０２．１１ａｃ送信として分類して良い（ブロック５１６）。しかしながら、処理５００が、長さは３で割り切れないことを決定する場合、処理５００は、信号送信パケットをＨＥＷパケットとして分類して良い（ブロック５１８）。
【００７６】
ブロック５０２で、ＳＣＭ２５５は、通信標準に従い、第２のコンピューティング装置から、レガシ部分及び非レガシ部分を有するパケットを受信して良い。コンピューティング装置間の通信セッションの間に、パケットは、送信され及び受信されて良い。パケットは、ＰＨＹプリアンブルのような１又は複数のプリアンブルを有して良い。パケットは、１つのコンピューティング装置から別のコンピューティング装置へ信号の形式で無線で送信されて良い。ＰＨＹプリアンブルは、少なくとも１つのレガシ部分と非レガシ部分とを有して良い。ＰＨＹプリアンブルに含まれる１又は複数のフィールドに関連する１又は複数の特徴が存在して良い。１又は複数のデータパケットの中の１又は複数の信号フィールドの特徴は、差別化のために、したがって、１又は複数のＩＥＥＥ８０２．１１標準に従うコンピューティング装置宛ではなかったデータパケットの復号化を保留するために、利用できる。１又は複数のシグナリングフィールドの中の特徴の例は、１又は複数のシグナリングフィールドの長さフィールド特徴、レートフィールド特徴及び配置特徴、又はそれらの任意の組合せを有して良い。これらの特徴は、通信に関与するコンピューティング装置の従う標準に固有であって良い。例えば、シンボルのレート、長さ、及び配置は、標準毎に異なって良く、したがって、標準の間を区別するための手段として利用できる。例えば、レガシ部分は、レートフィールド及び長さフィールドを含むＬ−ＳＩＧフィールドを有して良い。レートフィールド及び長さフィールドは、パケットの時間期間を計算するために、受信コンピューティング装置により利用できる。
【００７７】
ブロック５０４で、ＳＣＭ２５５は、Ｌ−ＳＩＧフィールドに含まれるレートフィールドがＨＥＷレートに関連するか否かを決定して良い。ＳＣＭ２５５は、パケットのレガシ部分に関連する１又は複数のフィールドを評価して良い。例えば、コンピューティング装置がＰＨＹプリアンブルを受信するとき、コンピューティング装置は、受信信号が該コンピューティング装置を宛先としていたか、及び信号が該コンピューティング装置のＩＥＥＥ８０２．１１標準に従うか否かについて、明確に知らない場合がある。送信がコンピューティング装置と同じＩＥＥＥ８０２．１１標準に従うことを決定するために、コンピューティング装置は、例えば、受信信号のＰＨＹプリアンブルに含まれ得るＬ−ＳＩＧフィールドの特徴を評価して良い。ＳＣＭ２５５が、受信信号送信パケットのＬ−ＳＩＧフィールドに含まれるレートはＩＥＥＥ８０２．１１ａｘ標準に関連するＨＥＷであることを決定する場合、２つの標準（例えば、ＩＥＥＥ８０２．１１ａ／ｇ又はＩＥＥＥ８０２．１１ｎ）が受信信号送信パケットに含まれるＨＥＷレートと異なるレートを有し得るので、ＳＣＭ２５５は、信号送信パケットが、ＩＥＥＥ８０２．１１ａ／ｇ又はＩＥＥＥ８０２．１１ｎパケットであることを決定できる。
【００７８】
ブロック５０６で、ＳＣＭ２５５は、更なるＳＩＧフィールドが受信信号送信パケットに含まれているか否かを決定して良い。更なるＳＩＧフィールドがＰＨＹプリアンブルに含まれていなかった場合、ＩＥＥＥ８０２．１１ａ／ｇ送信が標準にＬ−ＳＩＧフィールドに含まれるレガシＰＨＹを含むので（図１Ｂに示すように）、ＳＣＭ２５５は、受信信号送信パケットがＩＥＥＥ８０２．１１ａ／ｇに従うと分類できる（ブロック５０８）。しかしながら、ＳＣＭ２５５が、更なるＳＩＧフィールドが受信したＰＨＹプリアンブルに含まれないことを決定する場合、ＳＣＭ２５５は、受信信号送信パケットをＩＥＥＥ８０２．１１ｎ送信として分類できる（ブロック５１０）。
【００７９】
ＳＣＭ２５５が、ブロック５０４で、レートはＩＥＥＥ８０２．１１ａｘ標準に従うＨＥＷレートであることを決定する場合、Ｌ−ＳＩＧフィールドの中のＨＥＷレートはＬ−ＳＩＧフィールドの中のＩＥＥＥ８０２．１１ａｃレートのものと同じであり得るので、受信パケットは、ＨＥＷパケット又はＩＥＥＥ８０２．１１ａｃパケットであり得る。
【００８０】
ブロック５１２で、ＳＣＭ２５５は、受信信号送信パケットに含まれ得る１又は複数のＳＩＧフィールドの配置を決定して良い。例えば、コンピューティング装置が自身を宛先としていない可能性のある信号送信を受信するとき、ＳＣＭ２５５は、ＰＨＹプリアンブルに含まれる１又は複数のＳＩＧシンボルの配置が、ＩＥＥＥ８０２．１１ａｘ標準に従うＨＥＷ送信のものと一致するか否かを決定して良い。例えば、ＨＥＷシステムでは、ＨＥ−ＳＩＧフィールドは、２つのＯＦＤＭシンボル、つまりＨＥ−ＳＩＧ１及びＨＥ−ＳＩＧ２で構成され得る。これらのシンボルが互いに直交するという単なる事実は、ＨＥＷコンピューティング装置が、少なくともＩＥＥＥ８０２．１１ａ／ｇ及びＩＥＥＥ８０２．１１ｎ標準に従うコンピューティング装置を保留させることを可能にする。ＳＣＭ２５５が、ＰＨＹプリアンブルの信号フィールドに含まれるシンボルは、ＢＰＳＫコンステレーションマップの中に表されるような配置と一致しないと決定する場合、ＳＣＭ２５５は、信号送信パケットがＩＥＥＥ８０２．１１ｎ送信であり得ることを決定できる（ブロック５１０）。
【００８１】
ＳＣＭ２５５が、シンボルの配置が、ＢＰＳＫコンステレーションマップの中で表されるＨＥＷシンボルの配置と一致することを決定する場合、ＳＣＭ２５５は、信号送信パケットが８０２．１１ａｃ又はＨＥＷ送信であり得ることを決定できる。ＩＥＥＥ８０２．１１ａｃ標準は、ＨＥＷ標準のＨＥ−ＳＩＧ１及びＨＥ−ＳＩＧ２シンボルと同じ配置を有し得る対応する信号フィールド及びシンボル（例えば、ＶＨＴ−ＳＩＧ−Ａ１及びＶＨＴ−ＳＩＧ−Ａ２）を含み得るので、１又は複数のシンボルの配置は、ＩＥＥＥ８０２．１１ａｃ送信を保留するのに十分ではない場合がある。
【００８２】
ブロック５１４で、ＳＣＭ２５５は、長さフィールドが３で割り切れるか否かを決定して良い。ＩＥＥＥ８０２．１１ａｃ標準は、Ｌ−ＳＩＧの中の長さが３で割り切れることを必要とする。ＳＣＭ２５５は、ＩＥＥＥ８０２．１１ａｃシステムとＩＥＥＥ８０２．１１ａｘとを区別するために、この要件を利用できる。ＳＣＭ２５５が長さフィールドは３で割り切れると決定する場合、ＳＣＭ２５５は、受信信号送信パケットがＩＥＥＥ８０２．１１ａｃパケットであると決定でき、少なくとも長さフィールドと等しい期間の間、該パケットの復号化を保留して良い（ブロック５１６）。ＳＣＭ２５５が、Ｌ−ＳＩＧの中の長さフィールドは３で割り切れないことを決定する場合、ＳＣＭ２５５は、送信信号がＨＥＷ送信であることを決定できる（ブロック５１８）。この場合、ＳＣＭ２５５は、送信信号に関連するデータパケットを復号化し続けて良い。
【００８３】
図６は、１又は複数の実施形態による、ＳＣＭ２５５の例示的な処理６００を示すフローチャートである。処理６００は、概して、ＳＣＭ２５５により、ＰＨＹプリアンブルを有する信号送信パケットを受信するステップと（ブロック６０２）、受信信号送信の中に繰り返しレガシ信号（Ｌ−ＳＩＧ）が含まれるか否かを決定するステップと（ブロック６０４）、を有して良い。例えば、処理６００は、ＳＣＭ２５５により、第１のＬ−ＳＩＧ及び第２のＬ−ＳＩＧフィールドがＰＨＹプリアンブルに含まれるか否かを決定するステップを有して良い。ここで、第２のＬ−ＳＩＧは第１のＬ−ＳＩＧフィールドの繰り返しである。ＳＣＭ２５５が、ＰＨＹプリアンブルの中に繰り返しＬ−ＳＩＧの存在が含まれることを決定する場合、前のＩＥＥＥ８０２．１１標準がＰＨＹプリアンブルの中の繰り返しＬ−ＳＩＧを期待しないので、処理６００は、ＳＣＭ２５５により、受信信号送信パケットをＨＥＷ送信として分類するステップ（ブロック６０６）に進んで良い。
【００８４】
ブロック６０８で、ＰＨＹプリアンブルの中に繰り返しＬ−ＳＩＧが存在しなかった場合、処理６００は、ＳＣＭ２５５により、Ｌ−ＳＩＧフィールドに含まれるレートがＨＥＷレートであるか否かを決定して良い。ＨＥＷレートではない場合、処理６００は、ＳＣＭ２５５により、信号送信パケットがＩＥＥＥ８０２．１１ａ／ｇ又はＩＥＥＥ８０２．１１ｎ送信であると決定して良い。なぜなら、これらの標準のレートはＨＥＷレートと同じではないからである。この場合、処理６００は、ＳＣＭ２５５により、追加ＳＩＧフィールドがＰＨＹプリアンブルに含まれるか否かを決定するステップに進んで良い（ブロック６１０）。含まれない場合、処理６００は、ＳＣＭ２５５により、該受信信号送信パケットをＩＥＥＥ８０２．１１ａ／ｇ送信として分類して良い（ブロック６１２）。しかしながら、処理６００が、追加ＳＩＧフィールドがＰＨＹプリアンブルに含まれると決定する場合、処理６００は、ＳＣＭ２５５により、該信号送信パケットをＩＥＥＥ８０２．１１ｎ送信として分類できる（ブロック６１４）。ブロック６０８で、処理６００が、ＳＣＭ２５５により、レートフィールドはＨＥＷレートに関連するものであることを決定する場合、処理６００は、ＰＨＹプリアンブルに含まれるＳＩＧフィールドの配置を決定するステップに進んで良い（ブロック６１６）。ＳＩＧフィールドの配置がＨＥ−ＳＩＧ  ＢＰＳＫ配置と一致しない場合、受信レートの起こり得るエラーのためにレートがＨＥＷレートであると決定された場合であっても、処理６００は、ＳＣＭ２５５により、受信信号送信パケットをＩＥＥＥ８０２．１１ｎ送信として分類して良い（ブロック６１４）。処理６００が、受信信号送信パケットのＰＨＹプリアンブルに含まれるＳＩＧフィールドの配置がＨＥ−ＳＩＧ  ＢＰＳＫ配置のものと一致することを決定する場合、処理６００は、受信信号送信パケットをＩＥＥＥ８０２．１１ａｃ送信として分類して良い（ブロック６１８）。したがって、処理６００は、ＳＣＭ２５５により、Ｌ−ＳＩＧの長さフィールドの期間と等しい期間の間、信号送信パケットの残りの部分の復号化を保留して良い。
【００８５】
本開示の例示的な実施形態において、送信チャネルにおける信号送信分類のための方法があり得る。方法は、１又は複数のプロセッサと１又は複数の通信機コンポーネントとを有するコンピューティング装置により、物理レイヤ（ＰＨＹ）プリアンブルを有する信号送信パケットを受信するステップを有して良い。方法は、コンピューティング装置により、ＰＨＹプリアンブルの中で、１又は複数の信号（ＳＩＧ）フィールドを識別するステップを有して良く、１又は複数のＳＩＧフィールドのうちの少なくとも１つは、信号送信パケットの長さを示す少なくとも１つの長さフィールドを含む。方法は、コンピューティング装置により、長さフィールドに少なくとも部分的に基づき、信号送信パケットが信号送信パケットを送信するために利用される所定通信標準に関連することを決定するステップを有して良い。方法は、コンピューティング装置により、信号送信パケットが所定通信標準に関連するという決定に少なくとも部分的に基づき、信号送信パケットを復号化するステップを有して良い。所定通信標準はＨＥＷ標準であって良く、長さフィールドは３で割り切れなくて良い。方法は、コンピューティング装置により、復号化された信号送信パケットに基づき、信号送信パケットがコンピューティング装置宛であることを決定するステップ、を更に有して良い。信号送信パケットが所定通信標準に関連することを決定するステップは、１又は複数のＳＩＧフィールドに含まれる送信レートを調べるステップを有して良い。信号送信パケットが所定通信標準に関連することを決定するステップは、１又は複数のＳＩＧフィールドの配置を調べるステップを有して良い。１又は複数のＳＩＧフィールドは、レガシ信号（Ｌ−ＳＩＧ）フィールド及び高効率信号（ＨＥ−ＳＩＧ）フィールドのうちの少なくとも１つを含んで良い。長さフィールド及びレートフィールドは、ＰＨＹプリアンブルのＬ−ＳＩＧフィールドに含まれて良い。復号化するステップは、１又は複数のＳＩＧフィールドに基づき、信号送信パケットがコンピューティング装置宛であることを決定するステップを有して良い。
【００８６】
本開示の例示的な実施形態によると、コンピューティング装置が提供され得る。コンピューティング装置は、無線信号を送信し及び受信するよう構成される通信機と、通信機に結合されるアンテナと、通信機と通信する１又は複数のプロセッサと、コンピュータ実行可能命令を格納する少なくとも１つのメモリと、少なくとも１つのメモリにアクセスするよう構成される１又は複数のプロセッサのうちの少なくとも１つのプロセッサと、を有して良い。１又は複数のプロセッサのうちの少なくとも１つのプロセッサは、物理レイヤ（ＰＨＹ）プリアンブルを含む信号送信パケットを受信するためのコンピュータ実行可能命令を実行するよう構成されて良い。少なくとも１つのプロセッサは、命令の実行に応答して、ＰＨＹプリアンブルの中で、信号送信パケットを送信するために利用される所定通信標準に関連する１又は複数のＳＩＧフィールドを識別するよう構成されて良い。ここで、１又は複数のＳＩＧフィールドのうちの少なくとも１つは、信号送信パケットの長さを示す少なくとも１つの長さフィールドを含む。少なくとも１つのプロセッサは、命令の実行に応答して、長さフィールドに少なくとも部分的に基づき、信号送信パケットが通信標準に関連することを決定するよう構成されて良い。少なくとも１つのプロセッサは、命令の実行に応答して、信号送信パケットが所定通信標準に関連するという決定に少なくとも部分的に基づき、信号送信パケットを復号化するよう構成されて良い。所定通信標準はＨＥＷ標準であって良く、長さフィールドは３で割り切れなくて良い。少なくとも１つのプロセッサは、命令の実行に応答して、信号送信パケットがコンピューティング装置を宛先とすることを決定するよう更に構成されて良い。少なくとも１つのプロセッサは、命令の実行に応答して、１又は複数のＳＩＧフィールドに含まれる送信レートを調べるよう更に構成されて良い。少なくとも１つのプロセッサは、命令の実行に応答して、１又は複数のＳＩＧフィールドの配置を調べるよう更に構成されて良い。１又は複数のＳＩＧフィールドは、レガシ信号（Ｌ−ＳＩＧ）フィールド及び高効率信号（ＨＥ−ＳＩＧ）フィールドのうちの少なくとも１つを含んで良い。長さフィールド及びレートフィールドは、ＰＨＹプリアンブルのＬ−ＳＩＧフィールドに含まれて良い。
【００８７】
本開示の例示的な実施形態では、プロセッサにより実行されると、該プロセッサに工程を実行させるコンピュータ実行可能命令を格納するコンピュータ可読媒体が提供され得る。工程は、第２のコンピューティング装置から、通信標準に従う物理レイヤ（ＰＨＹ）プリアンブルを含む信号送信パケットを受信するステップ、を有して良い。工程は、信号送信パケットに含まれる第１のレガシ信号（Ｌ−ＳＩＧ）フィールドを決定するステップを有して良い。工程は、信号送信パケットに含まれる第２のＬ−ＳＩＧフィールドを決定するステップを有して良い。ここで、第２のＬ−ＳＩＧは、第１のＬ−ＳＩＧと関連する。工程は、第２のＬ−ＳＩＧフィールドが信号送信パケットに含まれると決定することに基づき、信号送信パケットを処理するステップを有して良い。１又は複数のＳＩＧフィールドは、レガシ信号（Ｌ−ＳＩＧ）フィールド及び高効率信号（ＨＥ−ＳＩＧ）フィールドのうちの少なくとも１つを含んで良い。第２のＬ−ＳＩＧフィールドは、第１のＬ−ＳＩＧフィールドの繰り返しであって良い。処理するステップは、通信標準に従い信号送信パケットを復号化するステップを有して良い。第１のＬ−ＳＩＧは第１のレート及び第１の長さを有して良く、第２のＬ−ＳＩＧは第２のレート及び第２の長さを有して良く、第１のレートは第２のレートに関連付けられて良く、第１の長さは第２の長さに関連付けられて良い。工程は、第１のコンピューティング装置により、信号送信パケットが第１のコンピューティング装置を宛先とすることを決定するステップ、を更に有して良い。
【００８８】
本開示の例示的な実施形態において、送信チャネルにおける信号送信分類のためのシステムが提供され得る。システムは、コンピュータ実行可能命令を格納する少なくとも１つのメモリと、少なくとも１つのメモリにアクセスするよう構成される少なくとも１つのプロセッサとを有し、少なくとも１つのプロセッサは、コンピュータ実行可能命令を実行して、物理レイヤ（ＰＨＹ）プリアンブルを含む信号送信パケットを受信するよう構成されて良い。少なくとも１つのプロセッサは、コンピュータ実行可能命令を実行して、ＰＨＹプリアンブルの中で、１又は複数のＳＩＧフィールドを識別するよう構成されて良い。ここで、１又は複数のＳＩＧフィールドのうちの少なくとも１つは、信号送信パケットの長さを示す少なくとも１つの長さフィールドを含む。少なくとも１つのプロセッサは、コンピュータ実行可能命令を実行して、長さフィールドに少なくとも部分的に基づき、信号送信パケットが信号送信パケットを送信するために利用される所定通信標準に関連することを決定するよう構成されて良い。少なくとも１つのプロセッサは、コンピュータ実行可能命令を実行して、信号送信パケットが所定通信標準に関連するという決定に少なくとも部分的に基づき、信号送信パケットを復号化するよう構成されて良い。所定通信標準はＨＥＷ標準であって良く、長さフィールドは３で割り切れなくて良い。少なくとも１つのプロセッサは、コンピュータ実行可能命令を実行して、復号化した信号送信パケットに基づき、信号送信パケットがコンピューティング装置を宛先とすることを決定するよう更に構成されて良い。信号送信パケットが所定通信標準に関連することを決定するステップは、１又は複数のＳＩＧフィールドに含まれる送信レートを調べるステップを有して良い。信号送信パケットが所定通信標準に関連することを決定するステップは、１又は複数のＳＩＧフィールドの配置を調べるステップを有して良い。１又は複数のＳＩＧフィールドは、レガシ信号（Ｌ−ＳＩＧ）フィールド及び高効率信号（ＨＥ−ＳＩＧ）フィールドのうちの少なくとも１つを含んで良い。長さフィールド及びレートフィールドは、ＰＨＹプリアンブルのＬ−ＳＩＧフィールドに含まれて良い。復号化するステップは、１又は複数のＳＩＧフィールドに基づき、信号送信パケットがコンピューティング装置宛であることを決定するステップを有して良い。
【００８９】
本開示の例示的な実施形態において、送信チャネルにおける信号送信分類のための装置が提供され得る。装置は、１又は複数のプロセッサと１又は複数の通信機コンポーネントとを有するコンピューティング装置により、物理レイヤ（ＰＨＹ）プリアンブルを有する信号送信パケットを受信するステップを有して良い。装置は、コンピューティング装置により、ＰＨＹプリアンブルの中で、１又は複数の信号（ＳＩＧ）フィールドを識別するステップを有して良く、１又は複数のＳＩＧフィールドのうちの少なくとも１つは、信号送信パケットの長さを示す少なくとも１つの長さフィールドを含む。装置は、コンピューティング装置により、長さフィールドに少なくとも部分的に基づき、信号送信パケットが信号送信パケットを送信するために利用される所定通信標準に関連することを決定するステップを有して良い。装置は、コンピューティング装置により、信号送信パケットが所定通信標準に関連するという決定に少なくとも部分的に基づき、信号送信パケットを復号化するステップを有して良い。所定通信標準はＨＥＷ標準であって良く、長さフィールドは３で割り切れなくて良い。装置は、コンピューティング装置により、復号化された信号送信パケットに基づき、信号送信パケットがコンピューティング装置宛であることを決定するステップ、を更に有して良い。信号送信パケットが所定通信標準に関連することを決定するステップは、１又は複数のＳＩＧフィールドに含まれる送信レートを調べるステップを有して良い。信号送信パケットが所定通信標準に関連することを決定するステップは、１又は複数のＳＩＧフィールドの配置を調べるステップを有して良い。１又は複数のＳＩＧフィールドは、レガシ信号（Ｌ−ＳＩＧ）フィールド及び高効率信号（ＨＥ−ＳＩＧ）フィールドのうちの少なくとも１つを含んで良い。長さフィールド及びレートフィールドは、ＰＨＹプリアンブルのＬ−ＳＩＧフィールドに含まれて良い。復号化するステップは、１又は複数のＳＩＧフィールドに基づき、信号送信パケットがコンピューティング装置宛であることを決定するステップを有して良い。
【００９０】
＜まとめ＞
以上に記載され示された工程及び処理は、種々の実装方法において必要に応じて任意の適切な順序で行われ又は実行されて良い。さらに、特定の実装方法では、工程のうちの少なくとも一部は、並列に実行されて良い。さらに、特定の実装方法では、記載された工程より少数の又は多数の工程が実行されて良い。
【００９１】
開示の特定の態様は、種々の実装方法に従うシステム、方法、装置、及び／又はコンピュータプログラムのブロック及びフロー図を参照して上述された。ブロック図及びフロー図の、及びブロック図とフロー図との組合せの１又は複数のブロックは、それぞれ、コンピュータ実行可能プログラム命令により実装できることが理解される。同様に、幾つかの実装方法により、ブロック図及びフロー図の幾つかのブロックは、必ずしも提示された順序で実行される必要はなく、又は必ずしも全て実行される必要はない。
【００９２】
これらのコンピュータ実行可能プログラム命令は、専用コンピュータ又は他の特定の機械、プロセッサ、又は他のプログラマブルデータ処理装置にロードされて、コンピュータ、プロセッサ、又は他のプログラマブルデータ処理装置で実行される命令がフロー図の１又は複数のブロックの中で特定される１又は複数の機能を実施する手段を生成するよう、特定の機械を構成して良い。これらのコンピュータプログラム命令は、コンピュータ又は他のプログラマブルデータ処理装置に特定の方法で機能するよう指示できるコンピュータ可読記憶媒体に格納されても良く、コンピュータ可読記憶媒体に格納された命令は、フロー図又はブロックの中で指定される１又は複数の機能を実施する命令手段を含む製造品を生成する。一例として、特定の実装方法は、埋め込まれたコンピュータ可読プログラムコード又はプログラム命令を有するコンピュータ可読記憶媒体を含むコンピュータプログラム製品を提供して良い。該コンピュータ可読プログラムコードは、フロー図の１又は複数のブロックの中で指定される１又は複数の機能を実施するために実行されるよう適応される。コンピュータプログラム命令は、コンピュータ又は他のプログラマブルデータ処理装置にロードされて、コンピュータ又は他のプログラマブル装置で一連の動作要素又はステップを実行させ、コンピュータが実施する処理を生成し、コンピュータ又は他のプログラマブル装置で実行する命令がフロー図の１又は複数のブロックで指定される機能を実施する要素又はステップを提供するようにしても良い。
【００９３】
したがって、ブロック図及びフロー図のブロックは、特定の機能を実行する手段の組み合わせ、特定の機能を実行する要素又はステップの組合せ、及び特定の機能を実行するプログラム命令手段をサポートする。理解されるべきことに、ブロック図及びフローチャート図の各々のブロック、及びブロック図及びフローチャート図のブロックの組み合わせは、特定の機能、要素又はステップ、又は特定目的ハードウェア及びコンピュータ命令の組み合わせを実行する専用ハードウェアに基づくコンピュータシステムにより実施され得る。
【００９４】
特に「できる」、「し得る」、「する場合がある」、「して良い」（can、could、might、又はmay）のような条件的語句は、特に断りのない限り、又は使用される文脈の中で理解される限り、概して、特定の実装方法が特定の機能、要素、及び／又は工程を含み得ること、一方で他の実装方法はそれらを含まないことを意味する。したがって、このような条件的な言葉は、概して、特手用、要素、及び／又は工程が１又は複数の実装方法に必要な任意の方法であること、又は１又は複数の実装方法が必ずしもユーザ入力若しくはプロンプトを有し又は有しないで、これらの特徴、要素、及び／又は工程が任意の特定の実装方法に含まれる又はその中で実行されるか否かを決定するロジックを含まないことを意味すると考えられる。
【００９５】
本願明細書に記載の本開示の多くの変形及び他の実装方法は、前述の記載及び関連する図面に示される教示の利益を有することが明らかである。したがって、本開示は開示された特定の実装方法に限定されるべきではないこと、及び変形及び他の実装方法が添付の請求の範囲の範囲に含まれることが意図されることが理解されるべきである。特定の用語が本願明細書において使用されたが、それらは、一般的に及び説明的意味でのみ使用され、限定を目的としない。
【図１Ａ】
0006342579.tif 000002
【図１Ｂ】
0006342579.tif 000003
【図１Ｃ】
0006342579.tif 000004
【図１Ｄ】
0006342579.tif 000005
【図１Ｅ】
0006342579.tif 000006
【図２】
0006342579.tif 000007
【図３】
0006342579.tif 000008
【図４】
0006342579.tif 000009
【図５】
0006342579.tif 000010
【図６】
0006342579.tif 000011